(57)【要約】      （修正有）【課題】入稿ユーザが紙原稿を入稿し、印刷ユーザが印刷時に印刷料金を支払うことで、印刷料金の一部がコンテンツ対価として入稿ユーザに支払われるネットワーク入稿印刷システムの提供。【解決手段】コンテンツ販売サーバと統括制御装置で構成され、入稿ユーザが入稿時に統括制御装置上でコンテンツに対する対価を設定し、入稿料金を支払って紙原稿をスキャンすると、スキャンされたコンテンツデータと対価がコンテンツ販売サーバに送信され、コンテンツ販売サーバは受信したコンテンツデータを格納し、印刷ユーザが入稿された統括制御装置で、コンテンツ販売サーバに格納されているコンテンツを指定し、印刷料金とコンテンツの対価を支払うと、コンテンツが統括制御装置に送信され、コンテンツ販売サーバは、コンテンツの印刷完了を受信すると、入稿ユーザに対するコンテンツ対価が加算され、コンテンツ対価は入稿料金や印刷料金として使用することができる。【選択図】図１
2007011943.tif 000002
【特許請求の範囲】
【請求項１】
サーバ装置および統括制御装置がネットワークを介して通信可能に接続され、前記サーバ装置が前記統括制御装置からの、コンテンツを印刷する際の対価を、前記コンテンツを入稿したユーザが設定可能な、コンテンツの入稿要求を受け付けるネットワーク入稿印刷システムであって、
前記サーバ装置は、前記統括制御装置からのコンテンツを印刷する際の対価を、前記コンテンツを入稿したユーザが設定可能な、コンテンツの入稿要求を受信し、メモリに書き込む受信手段と、
前記コンテンツを入稿したユーザを特定するための情報と、前記コンテンツを入稿したユーザによって設定された前記コンテンツを印刷する際の報酬情報と、を管理するための前記コンテンツ情報を管理するコンテンツ情報管理手段と、
前記コンテンツを入稿したユーザのユーザ情報を管理するユーザ情報管理手段と、
前記コンテンツを入稿したユーザに支払われる対価の合計を、入稿したユーザ毎に管理する対価情報管理手段と、
前記統括制御装置からの指示に応答して、前記統括制御装置からのコンテンツを印刷する際の対価情報を格納し、対価情報格納結果を前記統括制御装置に送信する送信手段とを有し、
前記統括制御装置は、コンテンツを印刷する際の対価を、前記コンテンツを入稿したユーザが設定可能な、コンテンツの入稿要求を、前記サーバ装置に送信する送信手段と、
前記コンテンツを印刷する際の対価を、前記コンテンツを入稿したユーザが設定可能な、コンテンツの入稿要求に対する対価情報格納結果を、受信する受信手段とを有することを特徴とするネットワーク入稿印刷システム。
【請求項２】
前記サーバ装置は、
前記コンテンツを入稿するのに必要な入稿料金情報を管理する、入稿料金情報管理手段を有し、
前記統括制御装置は、
前記コンテンツを入稿したユーザが現金で入稿料金を支払うための、課金処理手段を有し、
前記コンテンツを入稿したユーザが、入稿に対する入稿料金を支払うことを特徴とする請求項１に記載のネットワーク入稿印刷システム。
【請求項３】
前記課金処理手段は、
前記コンテンツを入稿したユーザが、入稿料金に代えて、コンテンツが印刷された際の対価を使用する支払いが可能であることを特徴とする請求項２に記載のネットワーク入稿印刷システム。
【請求項４】
前記入稿料金情報管理手段は、
前記コンテンツが印刷された際の対価を使用する支払いを行う際の対価を、現金で支払う際の入稿料金と異なる値に設定可能となるように管理する、入稿料金情報管理手段を有することを特徴とする請求項３に記載のネットワーク入稿印刷システム。
【請求項５】
サーバ装置および統括制御装置がネットワークを介して通信可能に接続され、前記サーバ装置が前記統括制御装置からの、前記コンテンツに対する対価を、コンテンツを印刷するのに必要な印刷料金とを、コンテンツを印刷するユーザが支払う印刷要求を受け付けるネットワーク入稿印刷システムであって、
前記サーバ装置は、前記コンテンツに対する対価を、コンテンツを印刷するのに必要な印刷料金とを、コンテンツを印刷するユーザが支払う印刷要求を受信し、メモリに書き込む受信手段と、
前記対価を、前記コンテンツを入稿したユーザに支払うため、前記コンテンツを入稿したユーザを特定するための情報と、前記コンテンツに対する対価を計算するための前記報酬情報と、を管理するための前記コンテンツ情報を管理するコンテンツ情報管理手段と、
前記コンテンツを入稿したユーザのユーザ情報を管理するユーザ情報管理手段と、
前記コンテンツを入稿したユーザ毎に管理されている対価情報のうち、前記印刷要求を受けたコンテンツを入稿したユーザの対価情報に対して、前記コンテンツに対する対価を、加算する対価情報管理手段と、
前記統括制御装置からの指示に応答して、前記印刷要求を受けたコンテンツを入稿したユーザの対価情報に対して、前記コンテンツに対する対価を加算した結果を、前記統括制御装置に送信する送信手段とを有し、
前記統括制御装置は、前記コンテンツに対する対価を、コンテンツを印刷するのに必要な印刷料金とを、コンテンツを印刷するユーザが支払う印刷要求を、前記サーバ装置に送信する送信手段と、
前記印刷要求を受けたコンテンツを入稿したユーザの対価情報に対して、前記コンテンツに対する対価を加算した結果を、受信する受信手段とを有することを特徴とするネットワーク入稿印刷システム。
【請求項６】
前記サーバ装置は、
前記コンテンツを印刷するのに必要な印刷料金情報を管理する、印刷料金情報管理手段を有し、
前記統括制御装置は、
前記コンテンツを印刷したユーザが現金で印刷料金を支払うための、課金処理手段を有し、
前記コンテンツを印刷したユーザが、印刷に対する印刷料金を支払うことを特徴とする請求項５に記載のネットワーク入稿印刷システム。
【請求項７】
前記課金処理手段は、
前記コンテンツを印刷したユーザが、印刷料金に代えて、コンテンツが印刷された際の対価を使用する支払いが可能であることを特徴とする請求項６に記載のネットワーク入稿印刷システム。
【請求項８】
前記印刷料金情報管理手段は、
前記コンテンツが印刷された際の対価を使用する支払いを行う際の対価を、現金で支払う際の印刷料金と異なる値に設定可能となるように管理する、印刷料金情報管理手段を有することを特徴とする請求項７に記載のネットワーク入稿印刷システム。
【請求項９】
統括制御装置とネットワークを介して通信可能に接続され、前記統括制御装置からの、コンテンツを印刷する際の対価を、前記コンテンツを入稿したユーザが設定可能な、コンテンツの入稿要求を受け付ける情報処理装置であって、
前記統括制御装置からのコンテンツを印刷する際の対価を、前記コンテンツを入稿したユーザが設定可能な、コンテンツの入稿要求を受信し、メモリに書き込む受信手段と、
前記コンテンツを入稿したユーザを特定するための情報と、前記コンテンツを入稿したユーザによって設定された前記コンテンツを印刷する際の報酬情報と、を管理するための前記コンテンツ情報を管理するコンテンツ情報管理手段と、
前記コンテンツを入稿したユーザのユーザ情報を管理するユーザ情報管理手段と、
前記コンテンツを入稿したユーザに支払われる対価の合計を、入稿したユーザ毎に管理する対価情報管理手段と、
前記統括制御装置からの指示に応答して、前記統括制御装置からのコンテンツを印刷する際の対価情報を格納し、対価情報格納結果を前記統括制御装置に送信する送信手段とを有することを特徴とする情報処理装置。
【請求項１０】
サーバ装置とネットワークを介して通信可能に接続され、前記サーバ装置に対して、コンテンツを印刷する際の対価を、前記コンテンツを入稿したユーザが設定可能な、コンテンツの入稿要求するための情報処理装置であって、
コンテンツを印刷する際の対価を、前記コンテンツを入稿したユーザが設定可能な、コンテンツの入稿要求を、前記サーバ装置に送信する送信手段と、
前記コンテンツを印刷する際の対価を、前記コンテンツを入稿したユーザが設定可能な、コンテンツの入稿要求に対する対価情報格納結果を、受信する受信手段とを有することを特徴とする情報処理装置。
【請求項１１】
前記情報処理装置は、
前記コンテンツを入稿するのに必要な入稿料金情報を管理する、入稿料金情報管理手段を有し、
前記コンテンツを入稿したユーザが、入稿に対する入稿料金を支払うことを特徴とする請求項９に記載の情報処理装置。
【請求項１２】
前記情報処理装置は、
前記コンテンツを入稿したユーザが現金で入稿料金を支払うための、課金処理手段を有し、
前記コンテンツを入稿したユーザが、入稿に対する入稿料金を支払うことを特徴とする請求項１０に記載の情報処理装置。
【請求項１３】
前記課金処理手段は、
前記コンテンツを入稿したユーザが、入稿料金に代えて、コンテンツが印刷された際の対価を使用する支払いが可能であることを特徴とする請求項１２に記載の情報処理装置。
【請求項１４】
前記入稿料金情報管理手段は、
前記コンテンツが印刷された際の対価を使用する支払いを行う際の対価を、現金で支払う際の入稿料金と異なる値に設定可能となるように管理する、入稿料金情報管理手段を有することを特徴とする請求項１１に記載の情報処理装置。
【請求項１５】
統括制御装置とネットワークを介して通信可能に接続され、前記統括制御装置からの、前記コンテンツに対する対価を、コンテンツを印刷するのに必要な印刷料金とを、コンテンツを印刷するユーザが支払う印刷要求を受け付ける情報処理装置であって、
前記コンテンツに対する対価を、コンテンツを印刷するのに必要な印刷料金とを、コンテンツを印刷するユーザが支払う印刷要求を受信し、メモリに書き込む受信手段と、
前記対価を、前記コンテンツを入稿したユーザに支払うため、前記コンテンツを入稿したユーザを特定するための情報と、前記コンテンツに対する対価を計算するための前記報酬情報と、を管理するための前記コンテンツ情報を管理するコンテンツ情報管理手段と、
前記コンテンツを入稿したユーザのユーザ情報を管理するユーザ情報管理手段と、
前記コンテンツを入稿したユーザ毎に管理されている対価情報のうち、前記印刷要求を受けたコンテンツを入稿したユーザの対価情報に対して、前記コンテンツに対する対価を、加算する対価情報管理手段と、
前記統括制御装置からの指示に応答して、前記印刷要求を受けたコンテンツを入稿したユーザの対価情報に対して、前記コンテンツに対する対価を加算した結果を、前記統括制御装置に送信する送信手段とを有することを特徴とする情報処理装置。
【請求項１６】
サーバ装置とネットワークを介して通信可能に接続され、前記サーバ装置に対して、前記コンテンツに対する対価を、コンテンツを印刷するのに必要な印刷料金とを、コンテンツを印刷するユーザが支払う印刷要求するための情報処理装置であって、
前記統括制御装置は、前記コンテンツに対する対価を、コンテンツを印刷するのに必要な印刷料金とを、コンテンツを印刷するユーザが支払う印刷要求を、前記サーバ装置に送信する送信手段と、
前記印刷要求を受けたコンテンツを入稿したユーザの対価情報に対して、前記コンテンツに対する対価を加算した結果を、受信する受信手段とを有することを特徴とする情報処理装置。
【請求項１７】
前記情報処理装置は、
前記コンテンツを印刷するのに必要な印刷料金情報を管理する、印刷料金情報管理手段を有し、
前記コンテンツを印刷したユーザが、印刷に対する印刷料金を支払うことを特徴とする請求項１５に記載の情報処理装置。
【請求項１８】
前記情報処理装置は、
前記コンテンツを印刷したユーザが現金で印刷料金を支払うための、課金処理手段を有し、
前記コンテンツを印刷したユーザが、印刷に対する印刷料金を支払うことを特徴とする請求項１６に記載の情報処理装置。
【請求項１９】
前記課金処理手段は、
前記コンテンツを印刷したユーザが、印刷料金に代えて、コンテンツが印刷された際の対価を使用する支払いが可能であることを特徴とする請求項１８に記載の情報処理装置。
【請求項２０】
前記印刷料金情報管理手段は、
前記コンテンツが印刷された際の対価を使用する支払いを行う際の対価を、現金で支払う際の印刷料金と異なる値に設定可能となるように管理する、印刷料金情報管理手段を有することを特徴とする請求項１７に記載の情報処理装置。
【請求項２１】
サーバ装置および統括制御装置がネットワークを介して通信可能に接続され、前記サーバ装置が前記統括制御装置からの、コンテンツを印刷する際の対価を、前記コンテンツを入稿したユーザが設定可能な、コンテンツの入稿要求を受け付ける入稿印刷方法であって、
前記サーバ装置は、前記統括制御装置からのコンテンツを印刷する際の対価を、前記コンテンツを入稿したユーザが設定可能な、コンテンツの入稿要求を受信し、メモリに書き込む受信工程と、
前記コンテンツを入稿したユーザを特定するための情報と、前記コンテンツを入稿したユーザによって設定された前記コンテンツを印刷する際の報酬情報と、を管理するための前記コンテンツ情報を管理するコンテンツ情報管理工程と、
前記コンテンツを入稿したユーザのユーザ情報を管理するユーザ情報管理工程と、
前記コンテンツを入稿したユーザに支払われる対価の合計を、入稿したユーザ毎に管理する対価情報管理工程と、
前記統括制御装置からの指示に応答して、前記統括制御装置からのコンテンツを印刷する際の対価情報を格納し、対価情報格納結果を前記統括制御装置に送信する送信工程とを有し、
前記統括制御装置は、コンテンツを印刷する際の対価を、前記コンテンツを入稿したユーザが設定可能な、コンテンツの入稿要求を、前記サーバ装置に送信する送信工程と、
前記コンテンツを印刷する際の対価を、前記コンテンツを入稿したユーザが設定可能な、コンテンツの入稿要求に対する対価情報格納結果を、受信する受信工程とを有することを特徴とする入稿印刷方法。
【請求項２２】
前記サーバ装置は、
前記コンテンツを入稿するのに必要な入稿料金情報を管理する、入稿料金情報管理工程を有し、
前記統括制御装置は、
前記コンテンツを入稿したユーザが現金で入稿料金を支払うための、課金処理工程を有し、
前記コンテンツを入稿したユーザが、入稿に対する入稿料金を支払うことを特徴とする請求項２１に記載の入稿印刷方法。
【請求項２３】
前記課金処理工程は、
前記コンテンツを入稿したユーザが、入稿料金に代えて、コンテンツが印刷された際の対価を使用する支払いが可能であることを特徴とする請求項２２に記載の入稿印刷方法。
【請求項２４】
前記入稿料金情報管理工程は、
前記コンテンツが印刷された際の対価を使用する支払いを行う際の対価を、現金で支払う際の入稿料金と異なる値に設定可能となるように管理する、入稿料金情報管理工程を有することを特徴とする請求項２３に記載の入稿印刷方法。
【請求項２５】
サーバ装置および統括制御装置がネットワークを介して通信可能に接続され、前記サーバ装置が前記統括制御装置からの、前記コンテンツに対する対価を、コンテンツを印刷するのに必要な印刷料金とを、コンテンツを印刷するユーザが支払う印刷要求を受け付ける入稿印刷方法であって、
前記サーバ装置は、前記コンテンツに対する対価を、コンテンツを印刷するのに必要な印刷料金とを、コンテンツを印刷するユーザが支払う印刷要求を受信し、メモリに書き込む受信工程と、
前記対価を、前記コンテンツを入稿したユーザに支払うため、前記コンテンツを入稿したユーザを特定するための情報と、前記コンテンツに対する対価を計算するための前記報酬情報と、を管理するための前記コンテンツ情報を管理するコンテンツ情報管理工程と、
前記コンテンツを入稿したユーザのユーザ情報を管理するユーザ情報管理工程と、
前記コンテンツを入稿したユーザ毎に管理されている対価情報のうち、前記印刷要求を受けたコンテンツを入稿したユーザの対価情報に対して、前記コンテンツに対する対価を、加算する対価情報管理工程と、
前記統括制御装置からの指示に応答して、前記印刷要求を受けたコンテンツを入稿したユーザの対価情報に対して、前記コンテンツに対する対価を加算した結果を、前記統括制御装置に送信する送信工程とを有し、
前記統括制御装置は、前記コンテンツに対する対価を、コンテンツを印刷するのに必要な印刷料金とを、コンテンツを印刷するユーザが支払う印刷要求を、前記サーバ装置に送信する送信工程と、
前記印刷要求を受けたコンテンツを入稿したユーザの対価情報に対して、前記コンテンツに対する対価を加算した結果を、受信する受信工程とを有することを特徴とする入稿印刷方法。
【請求項２６】
前記サーバ装置は、
前記コンテンツを印刷するのに必要な印刷料金情報を管理する、印刷料金情報管理工程を有し、
前記統括制御装置は、
前記コンテンツを印刷したユーザが現金で印刷料金を支払うための、課金処理工程を有し、
前記コンテンツを印刷したユーザが、印刷に対する印刷料金を支払うことを特徴とする請求項２５に記載の入稿印刷方法。
【請求項２７】
前記課金処理工程は、
前記コンテンツを印刷したユーザが、印刷料金に代えて、コンテンツが印刷された際の対価を使用する支払いが可能であることを特徴とする請求項２６に記載の入稿印刷方法。
【請求項２８】
前記印刷料金情報管理工程は、
前記コンテンツが印刷された際の対価を使用する支払いを行う際の対価を、現金で支払う際の印刷料金と異なる値に設定可能となるように管理する、印刷料金情報管理工程を有することを特徴とする請求項２７に記載の入稿印刷方法。
【請求項２９】
統括制御装置とネットワークを介して通信可能に接続され、前記統括制御装置からの、コンテンツを印刷する際の対価を、前記コンテンツを入稿したユーザが設定可能な、コンテンツの入稿要求を受け付ける情報処理装置で実行されるプログラムであって、
前記統括制御装置からのコンテンツを印刷する際の対価を、前記コンテンツを入稿したユーザが設定可能な、コンテンツの入稿要求を受信し、メモリに書き込む受信モジュールと、
前記コンテンツを入稿したユーザを特定するための情報と、前記コンテンツを入稿したユーザによって設定された前記コンテンツを印刷する際の報酬情報と、を管理するための前記コンテンツ情報を管理するコンテンツ情報管理モジュールと、
前記コンテンツを入稿したユーザのユーザ情報を管理するユーザ情報管理モジュールと、
前記コンテンツを入稿したユーザに支払われる対価の合計を、入稿したユーザ毎に管理する対価情報管理モジュールと、
前記統括制御装置からの指示に応答して、前記統括制御装置からのコンテンツを印刷する際の対価情報を格納し、対価情報格納結果を前記統括制御装置に送信する送信モジュールとを有することを特徴とするプログラム。
【請求項３０】
サーバ装置とネットワークを介して通信可能に接続され、前記サーバ装置に対して、コンテンツを印刷する際の対価を、前記コンテンツを入稿したユーザが設定可能な、コンテンツの入稿要求するための情報処理装置で実行されるプログラムであって、
コンテンツを印刷する際の対価を、前記コンテンツを入稿したユーザが設定可能な、コンテンツの入稿要求を、前記サーバ装置に送信する送信モジュールと、
前記コンテンツを印刷する際の対価を、前記コンテンツを入稿したユーザが設定可能な、コンテンツの入稿要求に対する対価情報格納結果を、受信する受信モジュールとを有することを特徴とするプログラム。
【請求項３１】
前記プログラムは、
前記コンテンツを入稿するのに必要な入稿料金情報を管理する、入稿料金情報管理モジュールを有し、
前記コンテンツを入稿したユーザが、入稿に対する入稿料金を支払うことを特徴とする請求項２９に記載のプログラム。
【請求項３２】
前記プログラムは、
前記コンテンツを入稿したユーザが現金で入稿料金を支払うための、課金処理モジュールを有し、
前記コンテンツを入稿したユーザが、入稿に対する入稿料金を支払うことを特徴とする請求項３０に記載のプログラム。
【請求項３３】
前記課金処理モジュールは、
前記コンテンツを入稿したユーザが、入稿料金に代えて、コンテンツが印刷された際の対価を使用する支払いが可能であることを特徴とする請求項３２に記載のプログラム。
【請求項３４】
前記入稿料金情報管理モジュールは、
前記コンテンツが印刷された際の対価を使用する支払いを行う際の対価を、現金で支払う際の入稿料金と異なる値に設定可能となるように管理する、入稿料金情報管理モジュールを有することを特徴とする請求項３１に記載のプログラム。
【請求項３５】
統括制御装置とネットワークを介して通信可能に接続され、前記統括制御装置からの、前記コンテンツに対する対価を、コンテンツを印刷するのに必要な印刷料金とを、コンテンツを印刷するユーザが支払う印刷要求を受け付ける情報処理装置で実行されるプログラムであって、
前記コンテンツに対する対価を、コンテンツを印刷するのに必要な印刷料金とを、コンテンツを印刷するユーザが支払う印刷要求を受信し、メモリに書き込む受信モジュールと、
前記対価を、前記コンテンツを入稿したユーザに支払うため、前記コンテンツを入稿したユーザを特定するための情報と、前記コンテンツに対する対価を計算するための前記報酬情報と、を管理するための前記コンテンツ情報を管理するコンテンツ情報管理モジュールと、
前記コンテンツを入稿したユーザのユーザ情報を管理するユーザ情報管理モジュールと、
前記コンテンツを入稿したユーザ毎に管理されている対価情報のうち、前記印刷要求を受けたコンテンツを入稿したユーザの対価情報に対して、前記コンテンツに対する対価を、加算する対価情報管理モジュールと、
前記統括制御装置からの指示に応答して、前記印刷要求を受けたコンテンツを入稿したユーザの対価情報に対して、前記コンテンツに対する対価を加算した結果を、前記統括制御装置に送信する送信モジュールとを有することを特徴とするプログラム。
【請求項３６】
サーバ装置とネットワークを介して通信可能に接続され、前記サーバ装置に対して、前記コンテンツに対する対価を、コンテンツを印刷するのに必要な印刷料金とを、コンテンツを印刷するユーザが支払う印刷要求するための情報処理装置で実行されるプログラムであって、
前記統括制御装置は、前記コンテンツに対する対価を、コンテンツを印刷するのに必要な印刷料金とを、コンテンツを印刷するユーザが支払う印刷要求を、前記サーバ装置に送信する送信モジュールと、
前記印刷要求を受けたコンテンツを入稿したユーザの対価情報に対して、前記コンテンツに対する対価を加算した結果を、受信する受信モジュールとを有することを特徴とするプログラム。
【請求項３７】
前記プログラムは、
前記コンテンツを印刷するのに必要な印刷料金情報を管理する、印刷料金情報管理モジュールを有し、
前記コンテンツを印刷したユーザが、印刷に対する印刷料金を支払うことを特徴とする請求項３５に記載のプログラム。
【請求項３８】
前記プログラムは、
前記コンテンツを印刷したユーザが現金で印刷料金を支払うための、課金処理モジュールを有し、
前記コンテンツを印刷したユーザが、印刷に対する印刷料金を支払うことを特徴とする請求項３６に記載のプログラム。
【請求項３９】
前記課金処理モジュールは、
前記コンテンツを印刷したユーザが、印刷料金に代えて、コンテンツが印刷された際の対価を使用する支払いが可能であることを特徴とする請求項３８に記載のプログラム。
【請求項４０】
前記印刷料金情報管理モジュールは、
前記コンテンツが印刷された際の対価を使用する支払いを行う際の対価を、現金で支払う際の印刷料金と異なる値に設定可能となるように管理する、印刷料金情報管理モジュールを有することを特徴とする請求項３７に記載のプログラム。
【発明の詳細な説明】
【技術分野】
【０００１】
本発明はネットワーク入稿印刷システム、情報処理装置、入稿印刷方法およびプログラムに関し、サーバ装置と複数のクライアント装置とがインターネットを介して通信可能に接続され、ユーザがクライアント装置上で紙原稿をスキャンして入稿し、入稿された原稿を不特定多数のユーザに販売することが可能であるクライアント装置およびサーバ装置およびその方法、ならびに記憶媒体に関し、紙原稿をスキャンして入稿して販売する、入稿方法、販売方法、および、印刷方法に関するものである。
【背景技術】
【０００２】
近年、インターネットの普及に伴い、コンビニやプリントショップといった複数の拠点に設置されインターネットに接続された統括制御装置上で、紙原稿を入稿してコンテンツ販売サーバに送信することができるスキャンサービスが出てきている。
【０００３】
また、コンテンツサーバやＦＡＸ、ＰＣから、インターネット経由で拠点の多機能印刷装置に直接接続してコンテンツを入稿し、入稿者は入稿料金、印刷者は印刷料金をシステムに支払い、さらに、入稿者が広告料をシステムに支払っていれば、印刷者が印刷する際に印刷料金から割引されて課金されるコンテンツ入稿印刷サービスがある（例えば、特許文献１参照）。
【０００４】
また、入稿者はコンテンツをＰＣ上のブラウザ上で送信するか、または、コンテンツ販売センターに郵送しておき、印刷者が印刷注文を出すと、コンテンツ販売センターで印刷し、印刷者に印刷されたコンテンツを郵送する、コンテンツ販売サービスがある（例えば、特許文献２参照）。
【特許文献１】特開２００１−１３４５１５号公報
【特許文献２】特開２００１−３３８１５７号公報
【発明の開示】
【発明が解決しようとする課題】
【０００５】
しかし、上記のようなコンテンツ販売サービスにおいて、特許文献１のようなシステムにおいては、コンテンツは拠点の多機能印刷装置上で保管されるために、保管されている以外の拠点以外で印刷を行うことができなかった。また、入稿者がコンテンツを提供しているにも関わらず、入稿者に入稿原稿に対する報酬が還元される仕組みが無かった。このため、原稿報酬を取引するためには、システム外で取引される必要があり、報酬の管理が不便である恐れがあった。
【０００６】
また、上記のようなコンテンツ販売サービスにおいて、特許文献２のようなシステムにおいては、入稿者が紙媒体のコンテンツを入稿する場合、入稿者がスキャナを所持していない場合は、コンテンツ販売センターに郵送する必要があり不便である恐れがあった。また、印刷者も、コンテンツを購入してからコンテンツ販売センターから印刷物が郵送されてくるまでの時間を、待つ必要があり、印刷物を購入してからすぐに受け取れないという不便さがあった。
【０００７】
本発明は、上記の課題を解決するためになされたもので、本発明の目的は、入稿者が拠点にある統括制御装置上において、入稿料金を支払うことにより、紙原稿をスキャンして入稿することができ、入稿されたコンテンツデータが統括制御装置からコンテンツ販売サーバに送信されて、コンテンツ販売サーバ上に保存され、印刷者は入稿された拠点、または、別の拠点において、拠点に設置されている統括制御装置上でコンテンツを選択して、印刷料金を支払い、統括制御装置に接続されたプリンタでコンテンツが印刷されて出力され、印刷が行われた頻度に応じて報酬ポイントが加算され、入稿者が統括制御装置上で報酬ポイントを使用してコンテンツの印刷や新たな入稿を行うことができるようにすることで、入稿した拠点以外の拠点に設置されている統括制御装置からでも、入稿されたコンテンツデータを印刷することができ、入稿者に原稿報酬を還元することができ、また、紙原稿を入稿する場合でも、コンテンツ販売センターに郵送することが無く、印刷を行う場合にコンテンツ販売センターから印刷物が郵送されてくるのを待たずに、印刷を指示した統括制御装置に接続されているプリンタから、直接印刷物を受け取ることができるネットワーク入稿印刷システム、情報処理装置、入稿印刷方法およびプログラムを提供することを目的とする。
【課題を解決するための手段】
【０００８】
本発明は、上記目的を達成するため、
サーバ装置および統括制御装置がネットワークを介して通信可能に接続され、前記サーバ装置が前記統括制御装置からの、コンテンツを印刷する際の対価を、前記コンテンツを入稿したユーザが設定可能な、コンテンツの入稿要求を受け付けるネットワーク入稿印刷システムであって、
前記サーバ装置は、前記統括制御装置からのコンテンツを印刷する際の対価を、前記コンテンツを入稿したユーザが設定可能な、コンテンツの入稿要求を受信し、メモリに書き込む受信手段と、
前記コンテンツを入稿したユーザを特定するための情報と、前記コンテンツを入稿したユーザによって設定された前記コンテンツを印刷する際の報酬情報と、を管理するための前記コンテンツ情報を管理するコンテンツ情報管理手段と、
前記コンテンツを入稿したユーザのユーザ情報を管理するユーザ情報管理手段と、
前記コンテンツを入稿したユーザに支払われる対価の合計を、入稿したユーザ毎に管理する対価情報管理手段と、
前記統括制御装置からの指示に応答して、前記統括制御装置からのコンテンツを印刷する際の対価情報を格納し、対価情報格納結果を前記統括制御装置に送信する送信手段とを有し、
前記統括制御装置は、コンテンツを印刷する際の対価を、前記コンテンツを入稿したユーザが設定可能な、コンテンツの入稿要求を、前記サーバ装置に送信する送信手段と、
前記コンテンツを印刷する際の対価を、前記コンテンツを入稿したユーザが設定可能な、コンテンツの入稿要求に対する対価情報格納結果を、受信する受信手段とを有することを特徴とする。
【０００９】
本発明は、上記目的を達成するため、
前記サーバ装置は、
前記コンテンツを入稿するのに必要な入稿料金情報を管理する、入稿料金情報管理手段を有し、
前記統括制御装置は、
前記コンテンツを入稿したユーザが現金で入稿料金を支払うための、課金処理手段を有し、
前記コンテンツを入稿したユーザが、入稿に対する入稿料金を支払うことを特徴とする。
【００１０】
本発明は、上記目的を達成するため、
前記課金処理手段は、
前記コンテンツを入稿したユーザが、入稿料金に代えて、コンテンツが印刷された際の対価を使用する支払いが可能であることを特徴とする。
【００１１】
本発明は、上記目的を達成するため、
前記入稿料金情報管理手段は、
前記コンテンツが印刷された際の対価を使用する支払いを行う際の対価を、現金で支払う際の入稿料金と異なる値に設定可能となるように管理する、入稿料金情報管理手段を有することを特徴とする。
【００１２】
本発明は、上記目的を達成するため、
サーバ装置および統括制御装置がネットワークを介して通信可能に接続され、前記サーバ装置が前記統括制御装置からの、前記コンテンツに対する対価を、コンテンツを印刷するのに必要な印刷料金とを、コンテンツを印刷するユーザが支払う印刷要求を受け付けるネットワーク入稿印刷システムであって、
前記サーバ装置は、前記コンテンツに対する対価を、コンテンツを印刷するのに必要な印刷料金とを、コンテンツを印刷するユーザが支払う印刷要求を受信し、メモリに書き込む受信手段と、
前記対価を、前記コンテンツを入稿したユーザに支払うため、前記コンテンツを入稿したユーザを特定するための情報と、前記コンテンツに対する対価を計算するための前記報酬情報と、を管理するための前記コンテンツ情報を管理するコンテンツ情報管理手段と、
前記コンテンツを入稿したユーザのユーザ情報を管理するユーザ情報管理手段と、
前記コンテンツを入稿したユーザ毎に管理されている対価情報のうち、前記印刷要求を受けたコンテンツを入稿したユーザの対価情報に対して、前記コンテンツに対する対価を、加算する対価情報管理手段と、
前記統括制御装置からの指示に応答して、前記印刷要求を受けたコンテンツを入稿したユーザの対価情報に対して、前記コンテンツに対する対価を加算した結果を、前記統括制御装置に送信する送信手段とを有し、
前記統括制御装置は、前記コンテンツに対する対価を、コンテンツを印刷するのに必要な印刷料金とを、コンテンツを印刷するユーザが支払う印刷要求を、前記サーバ装置に送信する送信手段と、
前記印刷要求を受けたコンテンツを入稿したユーザの対価情報に対して、前記コンテンツに対する対価を加算した結果を、受信する受信手段とを有することを特徴とする。
【００１３】
本発明は、上記目的を達成するため、
前記サーバ装置は、
前記コンテンツを印刷するのに必要な印刷料金情報を管理する、印刷料金情報管理手段を有し、
前記統括制御装置は、
前記コンテンツを印刷したユーザが現金で印刷料金を支払うための、課金処理手段を有し、
前記コンテンツを印刷したユーザが、印刷に対する印刷料金を支払うことを
特徴とする。
【００１４】
本発明は、上記目的を達成するため、
前記課金処理手段は、
前記コンテンツを印刷したユーザが、印刷料金に代えて、コンテンツが印刷された際の対価を使用する支払いが可能であることを特徴とする。
【００１５】
本発明は、上記目的を達成するため、
前記印刷料金情報管理手段は、
前記コンテンツが印刷された際の対価を使用する支払いを行う際の対価を、現金で支払う際の印刷料金と異なる値に設定可能となるように管理する、印刷料金情報管理手段を有することを特徴とする。
【００１６】
本発明は、上記目的を達成するため、
統括制御装置とネットワークを介して通信可能に接続され、前記統括制御装置からの、コンテンツを印刷する際の対価を、前記コンテンツを入稿したユーザが設定可能な、コンテンツの入稿要求を受け付ける情報処理装置であって、
前記統括制御装置からのコンテンツを印刷する際の対価を、前記コンテンツを入稿したユーザが設定可能な、コンテンツの入稿要求を受信し、メモリに書き込む受信手段と、
前記コンテンツを入稿したユーザを特定するための情報と、前記コンテンツを入稿したユーザによって設定された前記コンテンツを印刷する際の報酬情報と、を管理するための前記コンテンツ情報を管理するコンテンツ情報管理手段と、
前記コンテンツを入稿したユーザのユーザ情報を管理するユーザ情報管理手段と、
前記コンテンツを入稿したユーザに支払われる対価の合計を、入稿したユーザ毎に管理する対価情報管理手段と、
前記統括制御装置からの指示に応答して、前記統括制御装置からのコンテンツを印刷する際の対価情報を格納し、対価情報格納結果を前記統括制御装置に送信する送信手段とを有することを特徴とする。
【００１７】
本発明は、上記目的を達成するため、
サーバ装置とネットワークを介して通信可能に接続され、前記サーバ装置に対して、コンテンツを印刷する際の対価を、前記コンテンツを入稿したユーザが設定可能な、コンテンツの入稿要求するための情報処理装置であって、
コンテンツを印刷する際の対価を、前記コンテンツを入稿したユーザが設定可能な、コンテンツの入稿要求を、前記サーバ装置に送信する送信手段と、
前記コンテンツを印刷する際の対価を、前記コンテンツを入稿したユーザが設定可能な、コンテンツの入稿要求に対する対価情報格納結果を、受信する受信手段とを有することを特徴とする。
【００１８】
本発明は、上記目的を達成するため、
前記情報処理装置は、
前記コンテンツを入稿するのに必要な入稿料金情報を管理する、入稿料金情報管理手段を有し、
前記コンテンツを入稿したユーザが、入稿に対する入稿料金を支払うことを特徴とする。
【００１９】
本発明は、上記目的を達成するため、
前記情報処理装置は、
前記コンテンツを入稿したユーザが現金で入稿料金を支払うための、課金処理手段を有し、
前記コンテンツを入稿したユーザが、入稿に対する入稿料金を支払うことを特徴とする。
【００２０】
本発明は、上記目的を達成するため、
前記課金処理手段は、
前記コンテンツを入稿したユーザが、入稿料金に代えて、コンテンツが印刷された際の対価を使用する支払いが可能であることを特徴とする。
【００２１】
本発明は、上記目的を達成するため、
前記入稿料金情報管理手段は、
前記コンテンツが印刷された際の対価を使用する支払いを行う際の対価を、現金で支払う際の入稿料金と異なる値に設定可能となるように管理する、入稿料金情報管理手段を有することを特徴とする。
【００２２】
本発明は、上記目的を達成するため、
統括制御装置とネットワークを介して通信可能に接続され、前記統括制御装置からの、前記コンテンツに対する対価を、コンテンツを印刷するのに必要な印刷料金とを、コンテンツを印刷するユーザが支払う印刷要求を受け付ける情報処理装置であって、
前記コンテンツに対する対価を、コンテンツを印刷するのに必要な印刷料金とを、コンテンツを印刷するユーザが支払う印刷要求を受信し、メモリに書き込む受信手段と、
前記対価を、前記コンテンツを入稿したユーザに支払うため、前記コンテンツを入稿したユーザを特定するための情報と、前記コンテンツに対する対価を計算するための前記報酬情報と、を管理するための前記コンテンツ情報を管理するコンテンツ情報管理手段と、
前記コンテンツを入稿したユーザのユーザ情報を管理するユーザ情報管理手段と、
前記コンテンツを入稿したユーザ毎に管理されている対価情報のうち、前記印刷要求を受けたコンテンツを入稿したユーザの対価情報に対して、前記コンテンツに対する対価を、加算する対価情報管理手段と、
前記統括制御装置からの指示に応答して、前記印刷要求を受けたコンテンツを入稿したユーザの対価情報に対して、前記コンテンツに対する対価を加算した結果を、前記統括制御装置に送信する送信手段とを有することを特徴とする。
【００２３】
本発明は、上記目的を達成するため、
サーバ装置とネットワークを介して通信可能に接続され、前記サーバ装置に対して、前記コンテンツに対する対価を、コンテンツを印刷するのに必要な印刷料金とを、コンテンツを印刷するユーザが支払う印刷要求するための情報処理装置であって、
前記統括制御装置は、前記コンテンツに対する対価を、コンテンツを印刷するのに必要な印刷料金とを、コンテンツを印刷するユーザが支払う印刷要求を、前記サーバ装置に送信する送信手段と、
前記印刷要求を受けたコンテンツを入稿したユーザの対価情報に対して、前記コンテンツに対する対価を加算した結果を、受信する受信手段とを有することを
特徴とする。
【００２４】
本発明は、上記目的を達成するため、
前記情報処理装置は、
前記コンテンツを印刷するのに必要な印刷料金情報を管理する、印刷料金情報管理手段を有し、
前記コンテンツを印刷したユーザが、印刷に対する印刷料金を支払うことを
特徴とする。
【００２５】
本発明は、上記目的を達成するため、
前記情報処理装置は、
前記コンテンツを印刷したユーザが現金で印刷料金を支払うための、課金処理手段を有し、
前記コンテンツを印刷したユーザが、印刷に対する印刷料金を支払うことを
特徴とする。
【００２６】
本発明は、上記目的を達成するため、
前記課金処理手段は、
前記コンテンツを印刷したユーザが、印刷料金に代えて、コンテンツが印刷された際の対価を使用する支払いが可能であることを特徴とする。
【００２７】
本発明は、上記目的を達成するため、
前記印刷料金情報管理手段は、
前記コンテンツが印刷された際の対価を使用する支払いを行う際の対価を、現金で支払う際の印刷料金と異なる値に設定可能となるように管理する、印刷料金情報管理手段を有することを特徴とする。
【００２８】
本発明は、上記目的を達成するため、
サーバ装置および統括制御装置がネットワークを介して通信可能に接続され、前記サーバ装置が前記統括制御装置からの、コンテンツを印刷する際の対価を、前記コンテンツを入稿したユーザが設定可能な、コンテンツの入稿要求を受け付ける入稿印刷方法であって、
前記サーバ装置は、前記統括制御装置からのコンテンツを印刷する際の対価を、前記コンテンツを入稿したユーザが設定可能な、コンテンツの入稿要求を受信し、メモリに書き込む受信工程と、
前記コンテンツを入稿したユーザを特定するための情報と、前記コンテンツを入稿したユーザによって設定された前記コンテンツを印刷する際の報酬情報と、を管理するための前記コンテンツ情報を管理するコンテンツ情報管理工程と、
前記コンテンツを入稿したユーザのユーザ情報を管理するユーザ情報管理工程と、
前記コンテンツを入稿したユーザに支払われる対価の合計を、入稿したユーザ毎に管理する対価情報管理工程と、
前記統括制御装置からの指示に応答して、前記統括制御装置からのコンテンツを印刷する際の対価情報を格納し、対価情報格納結果を前記統括制御装置に送信する送信工程とを有し、
前記統括制御装置は、コンテンツを印刷する際の対価を、前記コンテンツを入稿したユーザが設定可能な、コンテンツの入稿要求を、前記サーバ装置に送信する送信工程と、
前記コンテンツを印刷する際の対価を、前記コンテンツを入稿したユーザが設定可能な、コンテンツの入稿要求に対する対価情報格納結果を、受信する受信工程とを有することを特徴とする。
【００２９】
本発明は、上記目的を達成するため、
前記サーバ装置は、
前記コンテンツを入稿するのに必要な入稿料金情報を管理する、入稿料金情報管理工程を有し、
前記統括制御装置は、
前記コンテンツを入稿したユーザが現金で入稿料金を支払うための、課金処理工程を有し、
前記コンテンツを入稿したユーザが、入稿に対する入稿料金を支払うことを特徴とする。
【００３０】
本発明は、上記目的を達成するため、
前記課金処理工程は、
前記コンテンツを入稿したユーザが、入稿料金に代えて、コンテンツが印刷された際の対価を使用する支払いが可能であることを特徴とする。
【００３１】
本発明は、上記目的を達成するため、
前記入稿料金情報管理工程は、
前記コンテンツが印刷された際の対価を使用する支払いを行う際の対価を、現金で支払う際の入稿料金と異なる値に設定可能となるように管理する、入稿料金情報管理工程を有することを特徴とする。
【００３２】
本発明は、上記目的を達成するため、
サーバ装置および統括制御装置がネットワークを介して通信可能に接続され、前記サーバ装置が前記統括制御装置からの、前記コンテンツに対する対価を、コンテンツを印刷するのに必要な印刷料金とを、コンテンツを印刷するユーザが支払う印刷要求を受け付ける入稿印刷方法であって、
前記サーバ装置は、前記コンテンツに対する対価を、コンテンツを印刷するのに必要な印刷料金とを、コンテンツを印刷するユーザが支払う印刷要求を受信し、メモリに書き込む受信工程と、
前記対価を、前記コンテンツを入稿したユーザに支払うため、前記コンテンツを入稿したユーザを特定するための情報と、前記コンテンツに対する対価を計算するための前記報酬情報と、を管理するための前記コンテンツ情報を管理するコンテンツ情報管理工程と、
前記コンテンツを入稿したユーザのユーザ情報を管理するユーザ情報管理工程と、
前記コンテンツを入稿したユーザ毎に管理されている対価情報のうち、前記印刷要求を受けたコンテンツを入稿したユーザの対価情報に対して、前記コンテンツに対する対価を、加算する対価情報管理工程と、
前記統括制御装置からの指示に応答して、前記印刷要求を受けたコンテンツを入稿したユーザの対価情報に対して、前記コンテンツに対する対価を加算した結果を、前記統括制御装置に送信する送信工程とを有し、
前記統括制御装置は、前記コンテンツに対する対価を、コンテンツを印刷するのに必要な印刷料金とを、コンテンツを印刷するユーザが支払う印刷要求を、前記サーバ装置に送信する送信工程と、
前記印刷要求を受けたコンテンツを入稿したユーザの対価情報に対して、前記コンテンツに対する対価を加算した結果を、受信する受信工程とを有することを
特徴とする。
【００３３】
本発明は、上記目的を達成するため、
前記サーバ装置は、
前記コンテンツを印刷するのに必要な印刷料金情報を管理する、印刷料金情報管理工程を有し、
前記統括制御装置は、
前記コンテンツを印刷したユーザが現金で印刷料金を支払うための、課金処理工程を有し、
前記コンテンツを印刷したユーザが、印刷に対する印刷料金を支払うことを
特徴とする。
【００３４】
本発明は、上記目的を達成するため、
前記課金処理工程は、
前記コンテンツを印刷したユーザが、印刷料金に代えて、コンテンツが印刷された際の対価を使用する支払いが可能であることを特徴とする。
【００３５】
本発明は、上記目的を達成するため、
前記印刷料金情報管理工程は、
前記コンテンツが印刷された際の対価を使用する支払いを行う際の対価を、現金で支払う際の印刷料金と異なる値に設定可能となるように管理する、印刷料金情報管理工程を有することを特徴とする。
【００３６】
本発明は、上記目的を達成するため、
統括制御装置とネットワークを介して通信可能に接続され、前記統括制御装置からの、コンテンツを印刷する際の対価を、前記コンテンツを入稿したユーザが設定可能な、コンテンツの入稿要求を受け付ける情報処理装置で実行されるプログラムであって、
前記統括制御装置からのコンテンツを印刷する際の対価を、前記コンテンツを入稿したユーザが設定可能な、コンテンツの入稿要求を受信し、メモリに書き込む受信モジュールと、
前記コンテンツを入稿したユーザを特定するための情報と、前記コンテンツを入稿したユーザによって設定された前記コンテンツを印刷する際の報酬情報と、を管理するための前記コンテンツ情報を管理するコンテンツ情報管理モジュールと、
前記コンテンツを入稿したユーザのユーザ情報を管理するユーザ情報管理モジュールと、
前記コンテンツを入稿したユーザに支払われる対価の合計を、入稿したユーザ毎に管理する対価情報管理モジュールと、
前記統括制御装置からの指示に応答して、前記統括制御装置からのコンテンツを印刷する際の対価情報を格納し、対価情報格納結果を前記統括制御装置に送信する送信モジュールとを有することを特徴とする。
【００３７】
本発明は、上記目的を達成するため、
サーバ装置とネットワークを介して通信可能に接続され、前記サーバ装置に対して、コンテンツを印刷する際の対価を、前記コンテンツを入稿したユーザが設定可能な、コンテンツの入稿要求するための情報処理装置で実行されるプログラムであって、
コンテンツを印刷する際の対価を、前記コンテンツを入稿したユーザが設定可能な、コンテンツの入稿要求を、前記サーバ装置に送信する送信モジュールと、
前記コンテンツを印刷する際の対価を、前記コンテンツを入稿したユーザが設定可能な、コンテンツの入稿要求に対する対価情報格納結果を、受信する受信モジュールとを有することを特徴とする。
【００３８】
本発明は、上記目的を達成するため、
前記プログラムは、
前記コンテンツを入稿するのに必要な入稿料金情報を管理する、入稿料金情報管理モジュールを有し、
前記コンテンツを入稿したユーザが、入稿に対する入稿料金を支払うことを特徴とする。
【００３９】
本発明は、上記目的を達成するため、
前記プログラムは、
前記コンテンツを入稿したユーザが現金で入稿料金を支払うための、課金処理モジュールを有し、
前記コンテンツを入稿したユーザが、入稿に対する入稿料金を支払うことを特徴とする。
【００４０】
本発明は、上記目的を達成するため、
前記課金処理モジュールは、
前記コンテンツを入稿したユーザが、入稿料金に代えて、コンテンツが印刷された際の対価を使用する支払いが可能であることを特徴とする。
【００４１】
本発明は、上記目的を達成するため、
前記入稿料金情報管理モジュールは、
前記コンテンツが印刷された際の対価を使用する支払いを行う際の対価を、現金で支払う際の入稿料金と異なる値に設定可能となるように管理する、入稿料金情報管理モジュールを有することを特徴とする。
【００４２】
本発明は、上記目的を達成するため、
統括制御装置とネットワークを介して通信可能に接続され、前記統括制御装置からの、前記コンテンツに対する対価を、コンテンツを印刷するのに必要な印刷料金とを、コンテンツを印刷するユーザが支払う印刷要求を受け付ける情報処理装置で実行されるプログラムであって、
前記コンテンツに対する対価を、コンテンツを印刷するのに必要な印刷料金とを、コンテンツを印刷するユーザが支払う印刷要求を受信し、メモリに書き込む受信モジュールと、
前記対価を、前記コンテンツを入稿したユーザに支払うため、前記コンテンツを入稿したユーザを特定するための情報と、前記コンテンツに対する対価を計算するための前記報酬情報と、を管理するための前記コンテンツ情報を管理するコンテンツ情報管理モジュールと、
前記コンテンツを入稿したユーザのユーザ情報を管理するユーザ情報管理モジュールと、
前記コンテンツを入稿したユーザ毎に管理されている対価情報のうち、前記印刷要求を受けたコンテンツを入稿したユーザの対価情報に対して、前記コンテンツに対する対価を、加算する対価情報管理モジュールと、
前記統括制御装置からの指示に応答して、前記印刷要求を受けたコンテンツを入稿したユーザの対価情報に対して、前記コンテンツに対する対価を加算した結果を、前記統括制御装置に送信する送信モジュールとを有することを特徴とする。
【００４３】
本発明は、上記目的を達成するため、
サーバ装置とネットワークを介して通信可能に接続され、前記サーバ装置に対して、前記コンテンツに対する対価を、コンテンツを印刷するのに必要な印刷料金とを、コンテンツを印刷するユーザが支払う印刷要求するための情報処理装置で実行されるプログラムであって、
前記統括制御装置は、前記コンテンツに対する対価を、コンテンツを印刷するのに必要な印刷料金とを、コンテンツを印刷するユーザが支払う印刷要求を、前記サーバ装置に送信する送信モジュールと、
前記印刷要求を受けたコンテンツを入稿したユーザの対価情報に対して、前記コンテンツに対する対価を加算した結果を、受信する受信モジュールとを有することを特徴とする。
【００４４】
本発明は、上記目的を達成するため、
前記プログラムは、
前記コンテンツを印刷するのに必要な印刷料金情報を管理する、印刷料金情報管理モジュールを有し、
前記コンテンツを印刷したユーザが、印刷に対する印刷料金を支払うことを特徴とする。
【００４５】
本発明は、上記目的を達成するため、
前記プログラムは、
前記コンテンツを印刷したユーザが現金で印刷料金を支払うための、課金処理モジュールを有し、
前記コンテンツを印刷したユーザが、印刷に対する印刷料金を支払うことを特徴とする。
【００４６】
本発明は、上記目的を達成するため、
前記課金処理モジュールは、
前記コンテンツを印刷したユーザが、印刷料金に代えて、コンテンツが印刷された際の対価を使用する支払いが可能であることを特徴とする。
【００４７】
本発明は、上記目的を達成するため、
前記印刷料金情報管理モジュールは、
前記コンテンツが印刷された際の対価を使用する支払いを行う際の対価を、現金で支払う際の印刷料金と異なる値に設定可能となるように管理する、印刷料金情報管理モジュールを有することを特徴とする。
【発明の効果】
【００４８】
本発明によれば、コンテンツ販売サーバ及び統括制御装置がインターネットで接続されているようなコンテンツ入稿販売システムにおいて、入稿した拠点以外の拠点に設置されている統括制御装置からでも、入稿されたコンテンツデータを印刷することができ、入稿者に原稿報酬を還元することができ、また、紙原稿を入稿する場合でも、コンテンツ販売センターに郵送することが無く、印刷を行う場合にコンテンツ販売センターから印刷物が郵送されてくるのを待たずに、印刷を指示した統括制御装置に接続されているプリンタから、直接印刷物を受け取ることができる。
【発明を実施するための最良の形態】
【００４９】
以下、本発明の一実施形態について、図面を参照しながら説明する。
【００５０】
本実施形態のコンテンツ入稿販売システムにおいては、以下に詳述するように、ユーザが紙原稿を入稿する場合においては、ユーザが統括制御装置にコンテンツ報酬を入力して、現金またはポイントで入稿料金を支払うと、紙原稿がスキャンされ、統括制御装置はスキャンされたコンテンツデータ、入稿ページ数、コンテンツ報酬をコンテンツ販売サーバに送信し、コンテンツ販売サーバでは統括制御装置から受信したコンテンツデータ、入稿ページ数、コンテンツ報酬を保存する。
【００５１】
また、ユーザが入稿されているコンテンツを印刷する場合においては、ユーザが統括制御装置に印刷したいコンテンツを入力し、印刷料金とコンテンツ報酬が加算された料金を、現金またはポイントで支払うと、統括制御装置は選択されたコンテンツのコンテンツＩＤをコンテンツ販売サーバに送信し、コンテンツ販売サーバでは統括制御装置から受信したコンテンツＩＤのコンテンツデータを読出し、統括制御装置に送信すると、統括制御装置は受信したコンテンツデータを印刷し、印刷完了をコンテンツ販売サーバに送信すると、コンテンツ販売サーバでは、印刷されたコンテンツを入稿したユーザの残ポイントを入稿時に設定したコンテンツ報酬に従って加算する。
【００５２】
なお、上記特許文献１と異なる点は、上記特許文献１では、コンテンツサーバやＦＡＸ、ＰＣから、インターネット経由で拠点の多機能印刷装置に直接接続してコンテンツを入稿し、入稿者は入稿料金、印刷者は印刷料金をシステムに支払い、さらに、入稿者が広告料をシステムに支払っていれば、印刷者が印刷する際に印刷料金から割引されて課金されることを実現しているが、本発明の実施形態においては、入稿者は入稿時にコンテンツ報酬を設定することができ、印刷者が印刷時に印刷料金に加えてコンテンツ報酬を支払うことによって、コンテンツ報酬が入稿者に支払うことが可能となる。これにより、入稿者は広告料を支払うことなく、印刷者からコンテンツ報酬を得ることができる。
【００５３】
また、上記特許文献１においては、コンテンツが入稿された多機能印刷装置で印刷することを実現しているが、本発明の実施形態においては、入稿されたコンテンツデータをコンテンツ販売サーバ上に保存しておき、印刷が指示された統括制御装置に対してコンテンツデータを送信するため、入稿された統括制御装置以外の統括制御装置でも印刷を行うことができる。
【００５４】
また、上記特許文献２と異なる点は、上記特許文献２では、コンテンツ販売センターで印刷を行い、印刷者に郵送することを実現しているが、本発明の実施形態においては、印刷者は統括制御装置において、印刷を指示してすぐに印刷されたコンテンツを受け取ることができ、また、入稿者はコンテンツ報酬を受けることができる。
【実施例】
【００５５】
＜コンテンツ入稿販売システムの全体構成図＞
まず、本コンテンツ入稿販売システムの構成について、図１を参照しながら説明する。図１は、本発明の一実施形態に係るコンテンツ入稿販売システムの構成を表すブロック図である。
【００５６】
コンテンツ入稿販売システムは、図１に示すように、コンテンツ入稿販売サービスを提供するコンテンツ販売サーバ１０１と、インターネット１１７を介して、コンテンツ販売サーバ１０１が提供するサービスを受ける統括制御装置１１２から構成される。ここで、図１には、１台の統括制御装置のみが表示されているが、実際には、上記コンテンツ入稿販売サービスを受けるために、２台以上の統括制御装置がインターネット１１７を介してコンテンツ販売サーバに接続することができる。
【００５７】
コンテンツ販売サーバ１０１は、コンテンツ情報記憶部１０２、ユーザ情報記憶部１０３、ポイント情報記憶部１０４、料金情報記憶部１０５、コンテンツ情報管理部１０６、ユーザ情報管理部１０７、ポイント情報管理部１０８、料金情報管理部１０９、要求処理部１１０、通信部１１１を備える。
【００５８】
コンテンツ情報記憶部１０２は、後述するＨＤＤ２１３（図２に示す）内に設けられており、統括制御装置１１２においてスキャンされて入稿され、また、統括制御装置１１２上でユーザが指定して印刷を行うことのできるコンテンツデータのコンテンツ情報、例えば、コンテンツＩＤ、コンテンツ名、入稿したユーザのユーザＩＤ、ファイルパス、ページ数、コンテンツの報酬情報などを格納する機能を有する。
【００５９】
コンテンツ情報管理部１０６は、コンテンツ情報記憶部１０２に格納されているコンテンツ情報を管理し、要求処理部１１０から受け取ったコンテンツＩＤを用いて、コンテンツＩＤに対するコンテンツ情報を、コンテンツ情報記憶部１０２から読み出す機能を有する。また、コンテンツ情報管理部１０６は、要求処理部からの要求に応じて、コンテンツ情報記憶部１０２に格納されている全コンテンツの一覧情報を、コンテンツ情報記憶部１０２から読み出し、要求処理部１１０に送信する機能を有する。
【００６０】
ユーザ情報記憶部１０３は、後述するＨＤＤ２１３（図２に示す）内に設けられており、統括制御装置１１２でユーザを認証する際に用いるユーザの情報、例えば、ユーザＩＤやパスワードなどを格納する機能を有する。ユーザ情報管理部１０７は、ユーザ情報記憶部１０３に格納されているユーザ情報を管理し、要求処理部１１０から受け取ったユーザＩＤを用いて、ユーザＩＤに対するユーザ情報を、ユーザ情報記憶部１０３から読み出す機能を有する。
【００６１】
ポイント情報記憶部１０４は、後述するＨＤＤ２１３（図２に示す）内に設けられており、統括制御装置１１２上でユーザがコンテンツを入稿、または、印刷する場合に、ポイントで支払いを行う際や、コンテンツが印刷された場合に、コンテンツの入稿ユーザへの報酬を支払う際に用いる、各ユーザが保有する残りポイントの情報、例えば、ユーザＩＤや残ポイントなどを格納する機能を有する。
【００６２】
ポイント情報管理部１０８は、ポイント情報記憶部１０４に格納されているポイント情報を管理し、要求処理部１１０から受け取ったユーザＩＤを用いて、ユーザＩＤに対するポイント情報を、ポイント情報記憶部１０４から読み出し、また、要求処理部１１０から受け取った残ポイントをポイント情報記憶部１０４に格納する機能を有する。さらに、ポイント情報管理部１０８は、ポイント情報記憶部１０４に格納されているポイント情報に対して、要求処理部１１０から受け取った入稿報酬ポイントを加算して再格納する機能を有する。
【００６３】
料金情報記憶部１０５は、後述するＨＤＤ２１３（図２に示す）内に設けられており、統括制御装置１１２上でユーザがコンテンツを入稿、または、印刷する際に用いる、入稿料金、入稿時に必要なポイント、印刷料金、印刷時に必要なポイントなどを格納する機能を有する。
【００６４】
料金情報管理部１０９は、料金情報記憶部１０５に格納されている料金情報を管理し、要求処理部１１０からの要求に応じて、料金情報を、料金情報記憶部１０５から読み出す機能を有する。
【００６５】
要求処理部１１０は、統括制御装置１１２から、通信部１１１を通じて出された認証要求、コンテンツ入稿要求、コンテンツ一覧取得要求、コンテンツデータ取得要求、コンテンツ印刷完了処理要求に対する処理を行う機能を有する。統括制御装置１１２からのログイン要求に対しては、ログイン要求と共にユーザＩＤとパスワードを受信し、ユーザＩＤに対応するユーザ情報の読出しをユーザ情報管理部１０７に依頼し、ユーザ情報管理部１０７がユーザ情報記憶部１０３から読み出したユーザ情報を受信し、受信したユーザ情報のパスワードと、統括制御装置１１２から受信したパスワードを比較して同じ値であれば、認証成功として、ポイント情報管理部１０８にユーザＩＤを送信して、ユーザＩＤに対するポイント情報の読出しを依頼し、ポイント情報記憶部１０４から読み出されたポイント情報を受信し、料金情報管理部１０９に対して料金情報の読出しを依頼し、料金情報記憶部１０５から読み出された料金情報を受信し、読み出されたポイント情報と料金情報を通信部１１１経由で統括制御装置１１２に送信する機能を有する。
【００６６】
また、統括制御装置１１２から受信したユーザＩＤに対応するユーザ情報がユーザ情報記憶部１０３に格納されていない場合、または、統括制御装置１１２から受信したパスワードと、ユーザ情報記憶部１０３に格納されているパスワードが異なる場合には、認証失敗として、認証失敗の旨を通信部１１１経由で統括制御装置１１２に送信する。
【００６７】
また、統括制御装置１１２からのコンテンツ入稿要求に対しては、統括制御装置１１２からコンテンツ入稿要求と共に、入稿データ、入稿ページ数、コンテンツ名、コンテンツ報酬、残ポイントなどを受信し、コンテンツＩＤを発行し、受信した入稿データを後述のＨＤＤ２１３（図２に示す）内に保存し、コンテンツＩＤ、入稿データのファイルパス、入稿ページ数、コンテンツ名、コンテンツ報酬をコンテンツ情報管理部１０６に送信してコンテンツ情報記憶部１０２へのコンテンツ情報の格納を依頼し、統括制御装置１１２から受信した残ポイントと、ユーザＩＤをポイント情報管理部１０８に送信して、ポイント情報記憶部１０４へのポイント情報の格納を依頼し、入稿完了した旨を通信部１１１経由で統括制御装置１１２に送信する機能を有する。
【００６８】
また、統括制御装置１１２からのコンテンツ一覧取得要求に対しては、コンテンツ情報管理部１０６に対して、コンテンツ情報記憶部１０２に存在する全コンテンツのコンテンツ情報の読出しを依頼し、読み出された全コンテンツのコンテンツ情報を受信し、受信した全コンテンツのコンテンツ情報を通信部１１１経由で統括制御装置１１２に送信する機能を有する。
【００６９】
また、統括制御装置１１２からのコンテンツデータ取得要求に対しては、コンテンツデータ取得要求と同時にコンテンツＩＤを受信し、受信したコンテンツＩＤをコンテンツ情報管理部１０６に送信して、コンテンツＩＤに対応するコンテンツ情報の読出しを依頼し、コンテンツ情報記憶部１０２から読み出されたコンテンツ情報のうち、ファイルパスに従って、後述のＨＤＤ２１３（図２に示す）からコンテンツデータを読出し、読み出されたコンテンツデータを通信部１１１経由で統括制御装置１１２に送信する機能を有する。
【００７０】
また、統括制御装置１１２からのコンテンツ印刷完了処理要求に対しては、コンテンツ印刷完了処理要求と同時に受信した印刷ユーザの残ポイントを受信し、受信した印刷者の残ポイントと印刷者のユーザＩＤをポイント情報管理部１０８に送信して、ポイント情報記憶部１０４への格納を依頼し、印刷されたコンテンツのコンテンツ情報のページ数とコンテンツ報酬から、コンテンツの全ページに対するコンテンツ報酬を計算し、計算されたコンテンツ報酬と、印刷されたコンテンツのコンテンツ情報の入稿ユーザＩＤをポイント情報管理部１０８に送信し、ポイント情報記憶部１０４に格納されている入稿ユーザＩＤに対応する残ポイントに、コンテンツの全ページに対するコンテンツ報酬を加算して再格納するよう依頼し、コンテンツ印刷完了処理終了の旨を、通信部１１１経由で統括制御装置１１２に送信する機能を有する。
【００７１】
通信部１１１は、通信部１１３から送信されてきたユーザＩＤとパスワード、入稿データと入稿ページ数とコンテンツ報酬と残ポイント、コンテンツ一覧取得要求、コンテンツＩＤ、残ポイントを受信し、受信した情報を要求処理部１１０に送信し、処理結果を通信部１１３に対して送信する。
【００７２】
統括制御装置１１２は、通信部１１３と、表示部１１４と、統括処理部１１５と、課金処理部１１６とを備える。
【００７３】
通信部１１３は、統括処理部１１５から送信されてきたユーザＩＤとパスワードを受信し、認証要求として、通信部１１１に送信する機能を有する。また、統括処理部１１５から送信されてきた入稿データと入稿ページ数とコンテンツ報酬と残ポイントを受信し、コンテンツ入稿要求として、通信部１１１に送信する機能を有する。
【００７４】
また、統括処理部１１５からの要求に従って、コンテンツ一覧取得要求を通信部１１１に送信する機能を有する。また、統括処理部１１５からのコンテンツＩＤを受信し、コンテンツデータ取得要求として、通信部１１１に送信する機能を有する。また、統括処理部１１５からの残ポイントを受信し、コンテンツ印刷完了処理要求として、通信部１１１に送信する機能を有する。また、通信部１１１から送信されてきたコンテンツ販売サーバ１０１における処理結果を受信する機能を有する。
【００７５】
表示部１１４は、後述のログイン画面（図８に示す）、後述のメニュー画面（図９に示す）、後述の入稿設定画面（図１０に示す）、後述のスキャン開始画面（図１１に示す）、後述のスキャン終了画面（図１２に示す）、後述の入稿完了画面（図１３に示す）、後述のコンテンツ選択画面（図１４に示す）、後述の印刷設定入力画面（図１５に示す）、後述の印刷完了画面（図１６に示す）、を、後述のＣＲＴ２０９（図２に示す）に表示させる機能を有する。
【００７６】
統括処理部１１５は、表示部１１４で表示された、後述のログイン画面８０１（図８に示す）で、ユーザによって入力されたユーザＩＤとパスワードを通信部１１３に送信する機能を有する。また、通信部１１３を通じて送信されてきた認証結果が、認証失敗であった場合には、認証失敗である旨を後述のログイン画面８０１に表示する。また、通信部１１３を通じて送信されてきた認証結果が、認証成功としてポイント情報と料金情報であった場合には、後述のメニュー画面９０１（図９に示す）を表示部１１４に表示させ、ユーザが入力した処理がログアウトであった場合には、後述のログイン画面９０１（図９に示す）を再度表示させる。
【００７７】
ユーザの入力した処理が入稿であった場合には、後述の入稿設定画面１００１（図１０に示す）を表示部１１４に表示させ、ユーザの入力した入稿設定情報に従って、後述のスキャナ２１６（図２に示す）を設定し、後述のスキャン開始画面１１０１（図１１に示す）を表示部１１４に表示させ、ユーザが入力した内容がキャンセルであった場合には、後述のメニュー画面９０１（図９に示す）を表示部１１４に表示させる。
【００７８】
また、ユーザが入力した内容がポイントで支払いの場合には、入稿者の残ポイントから、料金情報の入稿時必要ポイントを減算し、後述のスキャナ２１６（図２に示す）に原稿のスキャンを指示する。後述のスキャン開始画面１１０１（図１１に示す）において、ユーザが入力した内容が現金で支払いであった場合には、課金処理部１１６に、料金情報の入稿料金を送信して、後述のコインベンダ２１７（図２に示す）に依頼して現金支払いによるユーザへの課金を行うように指示し、課金が終了すると後述のスキャナ２１６（図２に示す）に原稿のスキャンを指示し、原稿のスキャンを指示する。
【００７９】
現行のスキャンが終了した場合、後述のスキャン終了画面１２０１（図１２に示す）を表示部１１４に表示させ、ユーザが入力した内容が連続であった場合には、後述のスキャン開始画面１１０１（図１１に示す）を表示部１１４に再度表示させる。後述のスキャン終了画面１２０１（図１２に示す）において、ユーザが入力した内容が入稿であった場合、スキャンされた入稿データ、入稿ページ数、コンテンツ報酬、入稿者の残ポイントを、コンテンツ入稿要求として、通信部１１３経由でコンテンツ販売サーバ１０１に送信し、コンテンツ販売サーバ１０１からの入稿完了を通信部１１３から受信した場合、後述の入稿完了画面１３０１（図１３に示す）を表示し、ユーザがＯＫを入力すると処理を終了する。
【００８０】
一方、前記、後述のメニュー画面９０１（図９に示す）において、ユーザが入力した内容が印刷であった場合は、コンテンツ一覧の取得要求を通信部１１３経由でコンテンツ販売サーバ１０１に送信し、コンテンツ販売サーバ１０１から通信部１１３経由で受信したコンテンツ一覧情報を表示部１１４に送信して、後述のコンテンツ選択画面１４０１（図１４に示す）を表示させ、ユーザの入力したコンテンツＩＤを通信部１１３経由で、コンテンツ販売サーバ１０１にコンテンツデータ取得要求として送信し、コンテンツ販売サーバ１０１から通信部１１４経由でコンテンツを受信し、後述の印刷設定入力画面１５０１（図１５に示す）を表示部１１４に表示させ、ユーザの入力した内容がキャンセルであった場合には、前記、後述のメニュー画面９０１（図９に示す）を表示部１１４に表示させる。
【００８１】
ユーザの入力した内容がポイントで支払の場合には、料金情報の印刷時必要なポイントとコンテンツ報酬を加算した上で、ページ数を積算して算出されたポイント数を、印刷者の残ポイントから減算し、後述のプリンタ２１５（図２に示す）に印刷設定を送信して設定し、コンテンツデータを送信して印刷を指示する。また、ユーザの選択された内容が現金で支払いの場合は、料金情報の印刷料金とコンテンツ報酬を加算した上で、ページ数を積算して算出された金額を、課金処理部１１６に送信して、後述のコインベンダ２１７（図２に示す）に依頼して現金支払いによるユーザへの課金を行うように指示し、課金が終了すると、後述のプリンタ２１５（図２に示す）に印刷設定を送信して設定し、コンテンツデータを送信して印刷を指示する。
【００８２】
印刷が終了すると、通信部１１３経由で、コンテンツ印刷完了処理要求として、コンテンツ販売サーバ１０１に印刷ユーザの残ポイントを送信し、コンテンツ販売サーバ１０１から通信部１１３経由で処理完了を受信した場合は、後述の印刷完了画面１６０１（図１６に示す）を表示部１１４に表示させ、ユーザがＯＫを入力すると処理を終了する。
【００８３】
課金処理部１１６は、統括処理部１１５から受け取った課金情報を、後述のコインベンダ２１７（図２に示す）に送信してユーザへの現金支払いによる課金を行う機能を有する。
【００８４】
＜コンテンツ販売サーバおよび統括制御装置の構成図＞
次に、コンテンツ販売サーバ１０１および統括制御装置１１２の構成について図２を参照しながら説明する。図２はコンテンツ販売サーバ１０１および統括制御装置１１２の構成を示すブロック図である。なお、コンテンツ販売サーバ１０１および統括制御装置１１２の構成は同一である。
【００８５】
コンテンツ販売サーバ１０１および統括制御装置１１２は、図２に示すように、ＣＰＵ２０１、ＲＡＭ２０２、ＲＯＭ２０３、外部記憶媒体読み取り／書き込みユニット２０４、ＮＥＴ  Ｉ／Ｆ２０５、ＶＲＡＭ２０８、ＫＢＣ２１０、ＨＤＤ２１３、ＩＯＣ２１４およびそれらのユニットを接続するシステムバス２００を備える。システムバス２００は、上記各ユニット間のデータおよび制御情報を伝送する伝送路である。
【００８６】
ＣＰＵ２０１は、コンテンツ販売サーバ１０１および統括制御装置１１２の各種制御および演算などを行う中央処理装置である。
【００８７】
ＲＡＭ２０２はランダムアクセスメモリであり、ＣＰＵ２０１の主メモリとして、実行プログラムの格納領域、該プログラムの実行領域ならびにデータ格納領域を提供する。
【００８８】
ＲＯＭ２０３は、ＣＰＵ２０１の動作処理手順を記憶している読み取り専用メモリであり、コンテンツ販売サーバ１０１および統括制御装置１１２内の各ユニットの制御を行う基本プログラム（一般的にＢＩＯＳと呼ばれる）や、システムを稼働するために必要な情報などを記憶する。
【００８９】
外部記憶媒体読み取り／書き込みユニット２０４は、フロッピー（登録商標）ディスクやＣＤ−ＲＯＭなど、取り外し可能な外部記憶媒体のデータ入出力を行うユニット群である。
【００９０】
ＮＥＴ  Ｉ／Ｆ２０５はネットワークインターフェースであり、モデム２０６を介して外部ネットワークに接続する、またはＬＡＮ２０７に接続するものである。ＮＥＴ  Ｉ／Ｆ２０５は、インターネット１１７を介してコンテンツ販売サーバ１０１および統括制御装置１１２を含むほかの機器との間でデータ転送を行うための制御や接続状況の診断を行う。モデム２０６は、外部ネットワークとコンテンツ販売サーバ１０１とを電話回線を介して接続するための、モデムやＩＳＤＮ接続用のターミナルアダプタ（ＴＡ）などからなる。ＬＡＮ２０７は、イーサネット（登録商標）などのネットワークシステムである。本実施の形態において、コンテンツ販売サーバ１０１および統括制御装置１１２は、モデム２０６を介するか、またはＬＡＮ２０７上に接続されているルータやゲートウェイなどの通信機器を介することによって、インターネット１１７に接続する。
【００９１】
ＶＲＡＭ２０８は、ビデオＲＡＭであって、ＣＲＴ２０９に表示する画像データを展開し、表示の制御を行う。ここで、ＣＲＴ２０９に代えて液晶表示装置などを用いることも可能である。
【００９２】
ＫＢＣ２１０は、キーボード２１１およびマウス２１２からの入力信号を制御するコントローラである。ここで、キーボード２１１に代えて、液晶表示装置上のソフトウェアキーボード等を用いることも可能である。また、マウス２１２に代えて液晶表示装置上のタッチパネルなどを用いることも可能である。
【００９３】
ＨＤＤ２１３はハードディスクドライブであり、アプリケーションプログラム、各種データなどを保存するメモリとして用いられる。本実施の形態におけるアプリケーションプログラムとは、各種処理手段を実行するソフトウェアプログラムなどである。
【００９４】
ＩＯＣ２１４は、プリンタ２１５、スキャナ２１６、コインベンダ２１７を制御するためのものであり、プリンタ２１５やスキャナ２１６やコインベンダ２１７以外の外部入出力装置、例えば外部接続ＨＤＤやＭＯドライブなどを接続することも可能である。
【００９５】
＜コンテンツ情報、ユーザ情報、ポイント情報、料金情報を示す図＞
コンテンツ情報は、図３（ａ）に示すように、コンテンツ情報のデータベース３０１から構成される。データベース３０１における行は、コンテンツ情報を示す。
【００９６】
データベース３０１の各列のデータは、それぞれ、コンテンツＩＤ３０２、コンテンツ名３０３、入稿ユーザＩＤ３０４、ファイルパス３０５、ページ数３０６、コンテンツ報酬３０７などを示す。
【００９７】
本実施の形態において、データベース３０１で示されたデータは一例であり、さらに多くのデータベースが設けられていてもよいし、データベース３０１において他の付加情報（コンテンツ種別、ファイルサイズ等の情報）が格納されていてもよい。
【００９８】
さらに、本実施の形態においては、データベース３０１の各レコードは、データベース形式で記憶装置に格納されているが、これらのレコードは、ファイル形式で記憶装置に格納してもよいことはいうまでもない。
【００９９】
ユーザ情報は、図３（ｂ）に示すように、ユーザ情報のデータベース３０８から構成される。データベース３０８における行は、ユーザ情報を示す。
データベース３０８の各列のデータは、それぞれ、ユーザＩＤ３０９、ユーザ名３１０、パスワード３１１などを示す。
【０１００】
本実施の形態において、データベース３０８で示されたデータは一例であり、さらに多くのデータベースが設けられていてもよいし、データベース３０８において他の付加情報（ユーザ種別、連絡先等の情報）が格納されていてもよい。
【０１０１】
さらに、本実施の形態においては、データベース３０８の各レコードは、データベース形式で記憶装置に格納されているが、これらのレコードは、ファイル形式で記憶装置に格納してもよいことはいうまでもない。
【０１０２】
ポイント情報は、図３（ｃ）に示すように、ポイント情報のデータベース３１２から構成される。データベース３１２における行は、ポイント情報を示す。
【０１０３】
データベース３１２の各列のデータは、それぞれ、ユーザＩＤ３１３、残ポイント３１４などを示す。なお、データベース３１２のユーザＩＤ３１３と、データベース３０８のユーザＩＤ３０９は同一の情報である。
【０１０４】
本実施の形態において、データベース３１２で示されたデータは一例であり、さらに多くのデータベースが設けられていてもよいし、データベース３１２において他の付加情報（ポイントの履歴等の情報）が格納されていてもよい。
【０１０５】
さらに、本実施の形態においては、データベース３１２の各レコードは、データベース形式で記憶装置に格納されているが、これらのレコードは、ファイル形式で記憶装置に格納してもよいことはいうまでもない。
【０１０６】
印刷物情報は、図３（ｄ）に示すように、料金情報のデータベース３１５から構成される。データベース３１５における行は、料金情報を示す。
【０１０７】
データベース３１５の各列のデータは、それぞれ、入稿料金３１６、入稿時必要ポイント３１７、印刷料金３１８、印刷時必要ポイント３１９などを示す。
【０１０８】
本実施の形態において、データベース３１５で示されたデータは一例であり、さらに多くのデータベースが設けられていてもよいし、データベース３１５において他の付加情報（割引料金等の情報）が格納されていてもよい。
【０１０９】
さらに、本実施の形態においては、データベース３１５の各レコードは、データベース形式で記憶装置に格納されているが、これらのレコードは、ファイル形式で記憶装置に格納してもよいことはいうまでもない。
【０１１０】
＜入稿時における統括制御装置のフローチャート＞
次に、統括制御装置１１２による入稿処理について図４を参照しながら説明する。図４は、統括制御装置１１２による入稿処理の手順を示すフローチャートである。この手順は、ＣＰＵ２０１により実行されるものである。
【０１１１】
統括制御装置１１２においては、図４に示すように、まずステップＳ４０１で、統括処理部１１５が、ユーザの認証を行うために、表示部１１４に対して後述のログイン画面８０１（図８に示す）の表示を依頼し、表示部１１４は、ＣＲＴ２０９にログイン画面８０１を表示させる。そして処理はステップＳ４０２に進む。
【０１１２】
ステップＳ４０２においては、ユーザが上記ステップＳ４０１で表示された後述のログイン画面８０１（図８に示す）上で、ユーザＩＤ、パスワードを入力する。ユーザが、ＯＫボタン８０４を押下すると、ユーザのログイン画面８０１への入力が終了したと判断して、処理はステップＳ４０３に進む。
【０１１３】
ステップＳ４０３においては、ユーザが後述のログイン画面８０１（図８に示す）上で入力したユーザＩＤ、パスワードを、統括処理部１１５が通信部１１３に送信し、通信部１１３は、受け取ったユーザＩＤ、パスワードを通信部１１１に送信し、コンテンツ販売サーバ１０１でユーザＩＤ、パスワードの認証処理が行われる。そして、処理はステップＳ４０４に進む。
【０１１４】
ステップＳ４０４においては、通信部１１３がコンテンツ販売サーバ１０１でユーザ認証処理が行われた結果を受信したか否かを判断する。通信部１１３がユーザ認証結果を受信していないと判断された場合は、再度ステップＳ４０４を繰り返し、通信部１１３がユーザ認証結果を受信したと判断した場合は、通信部１１３はユーザ認証結果を統括処理部１１５に送信し、処理はステップＳ４０５に進む。ここでは、通信部１１３がユーザ認証結果を受信したと判断したと仮定して、ステップＳ４０５に進む。
【０１１５】
ステップＳ４０５においては、前記ステップＳ４０４において、統括処理部１１５が、通信部１１３が受信したユーザ認証結果がポイント情報と料金情報であるか否かを判断する。統括処理部１１５が、通信部１１３が受信したユーザ認証結果がポイント情報と料金情報であると判断した場合は、処理はステップＳ４０６に進み、統括処理部１１５が、通信部１１３が受信したユーザ認証結果がポイント情報と料金情報でないと判断した場合は、ユーザ認証失敗として、前記ステップＳ４０１に戻る。ここでは、統括処理部１１５が、通信部１１３が受信したユーザ認証結果がポイント情報と料金情報であると判断したと仮定して、ステップＳ４０６に進む。
【０１１６】
ステップＳ４０６においては、統括処理部１１５が、ユーザが要求する処理の問い合わせを行うために、表示部１１４に対して後述のメニュー画面９０１（図９に示す）の表示を依頼し、表示部１１４は、ＣＲＴ２０９にメニュー画面９０１を表示させる。そして処理はステップ４０７に進む。
【０１１７】
ステップＳ４０７においては、ユーザが上記ステップＳ４０６で表示された後述のメニュー画面９０１（図９に示す）上で、ユーザが要求する処理を入力する。ユーザが、入稿ボタン９０２、印刷ボタン９０３、ログアウトボタン９０４のいずれかを押下すると、ユーザのメニュー画面９０１への入力が終了したと判断して、処理はステップＳ４０８に進む。
【０１１８】
ステップＳ４０８においては、統括処理部１１５が、ユーザが上記ステップＳ４０７で表示された後述のメニュー画面９０１（図９に示す）上で、ユーザが押下したボタンがログアウトボタン９０４であるか否かを判断する。統括処理部１１５が、ユーザがログアウトボタン９０４を押下したと判断した場合は、処理はステップＳ４０１に戻る。統括処理部１１５が、ユーザがログアウトボタン９０４以外のボタンを押下したと判断した場合は、処理はステップＳ４０９に進む。ここでは、統括処理部１１５が、ユーザがログアウトボタン９０４以外のボタンを押下したと判断したと仮定して、処理はステップＳ４０９に進む。
【０１１９】
ステップＳ４０９においては、統括処理部１１５が、ユーザが上記ステップＳ４０７で表示された後述のメニュー画面９０１（図９に示す）上で、ユーザが押下したボタンが入稿ボタン９０２であるか否かを判断する。統括処理部１１５が、ユーザが入稿ボタン９０２以外のボタンを押下したと判断した場合は、処理はステップＳ４０１に戻る。統括処理部１１５が、ユーザが入稿ボタン９０２を押下したと判断した場合は、処理はステップＳ４１０に進む。ここでは、統括処理部１１５が、ユーザが入稿ボタン９０２を押下したと判断したと仮定して、処理はステップＳ４１０に進む。
【０１２０】
ステップＳ４１０においては、統括処理部１１５が、ユーザに対して、入稿する原稿の情報とコンテンツ報酬の値をユーザに問い合わせるために、表示部１１４に対して後述の入稿設定画面１００１（図１０に示す）の表示を依頼し、表示部１１４は、ＣＲＴ２０９に入稿設定画面１００１を表示させる。そして処理はステップＳ４１１に進む。
【０１２１】
ステップＳ４１１においては、ユーザが上記ステップＳ４１０で表示された後述の入稿設定画面１００１（図１０に示す）上で、用紙サイズ、カラーモード、コンテンツ名、１ページあたりのコンテンツ報酬を入力する。ユーザが、ＯＫボタン１００６を押下すると、ユーザの入稿設定画面１００１への入力が終了したと判断して、処理はステップＳ４１２に進む。
【０１２２】
ステップＳ４１２においては、統括処理部１１５が、入稿されるコンテンツデータのページ数を計測するために、入稿ページ数を０で初期化する。そして処理はステップＳ４１３に進む。
【０１２３】
ステップＳ４１３においては、統括処理部１１５が、ユーザに対して、スキャナ２１６上に原稿を設置する、スキャン準備の確認のためと、支払方法をユーザに問い合わせるために、表示部１１４に対して後述のスキャン開始画面１１０１（図１１に示す）の表示を依頼し、表示部１１４は、ＣＲＴ２０９にスキャン開始画面１１０１を表示させる。そして処理はステップＳ４１４に進む。
【０１２４】
ステップＳ４１４においては、ユーザが上記ステップＳ４１３で表示された後述のスキャン開始画面１１０１（図１１に示す）上で、現金で支払ＯＫボタン１１０２、ポイントで支払ＯＫボタン１１０３、キャンセルボタン１１０４のいずれかを押下する。ユーザが、現金で支払ＯＫボタン１１０２、ポイントで支払ＯＫボタン１１０３、キャンセルボタン１１０４のいずれかを押下すると、ユーザのスキャン開始画面１１０１への入力が終了したと判断して、処理はステップＳ４１５に進む。
【０１２５】
ステップＳ４１５においては、統括処理部１１５が、ユーザが上記ステップＳ４１３で表示された後述のスキャン開始画面１１０１（図１１に示す）上で、ユーザが押下したボタンがキャンセルボタン１１０４であるか否かを判断する。統括処理部１１５が、ユーザがキャンセルボタン１１０４を押下したと判断した場合は、処理はステップＳ４０６に戻る。統括処理部１１５が、ユーザがキャンセルボタン１１０４以外のボタンを押下したと判断した場合は、処理はステップＳ４１６に進む。ここでは、統括処理部１１５が、ユーザがキャンセルボタン１１０４以外のボタンを押下したと判断したと仮定して、処理はステップＳ４１６に進む。
【０１２６】
ステップＳ４１６においては、統括処理部１１５が、ユーザが上記ステップＳ４１３で表示された後述のスキャン開始画面１１０１（図１１に示す）上で、ユーザが押下したボタンが現金で支払ＯＫボタン１１０２であるか否かを判断する。統括処理部１１５が、ユーザが現金で支払ＯＫボタン１１０２を押下したと判断した場合は、処理はステップＳ４１８に進む。統括処理部１１５が、ユーザが現金で支払ＯＫボタン１１０２以外のボタンを押下したと判断した場合は、処理はステップＳ４１７に進む。ここでは、統括処理部１１５が、ユーザが現金で支払ＯＫボタン１１０２以外のボタンを押下したと判断したと仮定して、処理はステップＳ４１７に進む。
【０１２７】
ステップＳ４１７においては、統括処理部１１５が、上記ステップＳ４０４でコンテンツ販売サーバ１０１から受信したポイント情報のうち残ポイントの値から、上記ステップＳ４０４でコンテンツ販売サーバ１０１から受信した料金情報のうち入稿時必要なポイントの値を減算し、新たな残ポイントとする。そして処理はステップＳ４１９に進む。
【０１２８】
ステップＳ４１８においては、統括処理部１１５が、上記ステップＳ４０４でコンテンツ販売サーバ１０１から受信した料金情報のうち入稿料金の値を、課金処理部１１６に送信し、ユーザへの課金処理を依頼する。課金処理部１１６では、受信した入稿料金の値をコインベンダ２１７に送信して、ユーザへの課金を依頼する。課金処理部１１６が、コインベンダ２１７から、ユーザが投入した現金に対して課金を行った旨を受信すると、統括処理部１１５に対して課金処理が終了した旨を送信する。統括処理部１１５は、課金処理部１１６から、課金処理が終了した旨を受信すると、処理はステップＳ４１９に進む。
【０１２９】
ステップＳ４１９においては、統括処理部１１５が、スキャナ２１６に対して、スキャン実行を依頼する。スキャナ２１６は、スキャンの実行が終了すると、スキャンデータを統括制御装置１１５に送信する。統括制御装置１１５がスキャンデータを受信すると、処理はステップＳ４２０に進む。
【０１３０】
ステップＳ４２０においては、上記ステップＳ４１２で初期化した入稿ページ数に１を加算しインクリメントする。そして処理はステップＳ４２１に進む。
【０１３１】
ステップＳ４２１においては、統括処理部１１５が、ユーザに対して、スキャン終了の確認のためと、連続して原稿をスキャンするか否かをユーザに問い合わせるために、表示部１１４に対して後述のスキャン終了画面１２０１（図１２に示す）の表示を依頼し、表示部１１４は、ＣＲＴ２０９にスキャン終了画面１２０１を表示させる。そして処理はステップＳ４２２に進む。
【０１３２】
ステップＳ４２２においては、ユーザが上記ステップＳ４２１で表示された後述のスキャン終了画面１２０１（図１２に示す）上で、連続ボタン１２０２、入稿ボタン１２０３、キャンセルボタン１２０４のいずれかを押下する。ユーザが、連続ボタン１２０２、入稿ボタン１２０３、キャンセルボタン１２０４のいずれかを押下すると、ユーザのスキャン終了画面１２０１への入力が終了したと判断して、処理はステップＳ４２３に進む。
【０１３３】
ステップＳ４２３においては、統括処理部１１５が、ユーザが上記ステップＳ４２２で表示された後述のスキャン終了画面１２０１（図１２に示す）上で、ユーザが押下したボタンが連続ボタン１２０２であるか否かを判断する。統括処理部１１５が、ユーザが連続ボタン１２０２を押下したと判断した場合は、処理はステップＳ４１３に戻る。統括処理部１１５が、ユーザが連続ボタン１２０２以外のボタンを押下したと判断した場合は、処理はステップＳ４２４に進む。ここでは、統括処理部１１５が、ユーザが連続ボタン１２０２以外のボタンを押下したと判断したと仮定して、処理はステップＳ４２４に進む。
【０１３４】
ステップＳ４２４においては、統括処理部１１５が、スキャンされた入稿データ、入稿ページ数、コンテンツ報酬、残ポイントを、通信部１１３経由で、コンテンツ販売サーバ１０１に送信する。そして処理はステップＳ４２５に進む。
【０１３５】
ステップＳ４２５においては、統括処理部１１５が、コンテンツ販売サーバ１０１から通信部１１３経由で、入稿完了の旨を受信したか否かを判断する。統括処理部１１５が、コンテンツ販売サーバ１０１から入稿完了の旨を受信していないと判断した場合は、処理はステップＳ４２５を繰り返す。統括処理部１１５が、コンテンツ販売サーバ１０１から入稿完了の旨を受信したと判断した場合は、処理はステップＳ４２６に進む。ここでは、統括処理部１１５が、コンテンツ販売サーバ１０１から入稿完了の旨を受信したと判断したと仮定して、ステップＳ４２６に進む。
【０１３６】
ステップＳ４２６においては、統括処理部１１５が、入稿完了の旨をユーザに確認するために、表示部１１４に対して後述の入稿完了画面１３０１（図１３に示す）の表示を依頼し、表示部１１４は、ＣＲＴ２０９に入稿完了画面１３０１を表示させる。そして処理はステップＳ４２７に進む。
【０１３７】
ステップＳ４２７においては、ユーザが上記ステップＳ４２６で表示された後述の入稿完了画面１３０１（図１３に示す）上で、ＯＫボタン１３０２を押下する。ユーザが、ＯＫボタン１３０２を押下すると、ユーザの入稿完了画面１３０１への入力が終了したと判断して、処理は終了する。
【０１３８】
＜入稿時のコンテンツ販売サーバのフローチャート＞
次に、コンテンツ販売サーバ１０１による入稿処理について図５を参照しながら説明する。
【０１３９】
図５は、コンテンツ販売サーバ１０１による入稿処理の手順を示すフローチャートである。この手順は、ＣＰＵ２０１により実行されるものである。
【０１４０】
コンテンツ販売サーバ１０１においては、図５に示すように、まずステップＳ５０１において、要求処理部１１０が、統括制御装置１１２の統括処理部１１５から送信されたユーザＩＤとパスワードを通信部１１１経由で受信したか否かを判断する。要求処理部１１０がユーザＩＤとパスワードを受信していないと判断した場合は、再度ステップＳ５０１を繰り返す。要求処理部１１０がユーザＩＤとパスワードを受信したと判断した場合は、ステップＳ５０２に進む。ここでは、要求処理部１１０がユーザＩＤとパスワードを受信したと判断したと仮定して、ステップＳ５０２に進む。
【０１４１】
ステップＳ５０２においては、要求処理部１１０が、上記ステップＳ５０１において統括制御装置１１２から受信したユーザＩＤとパスワードを認証するために、受信したユーザＩＤをユーザ情報管理部１０７に送信し、ユーザＩＤに対応するユーザ情報を、ユーザ情報記憶部１０３から読み出すよう依頼する。ユーザ情報管理部１０７は、受信したユーザＩＤをユーザ情報記憶部１０３に送信し、ユーザ情報記憶部１０３では、受信したユーザＩＤに対応するユーザ情報を読み出す。読み出されたユーザ情報は、ユーザ情報記憶部１０３からユーザ情報管理部１０７に送信され、さらに、ユーザ情報管理部１０７から、要求処理部１１０に送信される。そして処理はステップＳ５０３に進む。
【０１４２】
ステップＳ５０３においては、上記ステップＳ５０２において、要求処理部１１０が、ユーザ情報記憶部１０３に、統括制御装置１１２から受信したユーザＩＤに対応するユーザ情報が存在しないか、または、統括制御装置１１２から受信したパスワードとユーザ情報記憶部１０３に格納されているユーザ情報のパスワードが一致しないか否かを判断する。要求処理部１１０が、統括制御装置１１２から受信したユーザＩＤに対応するユーザ情報が存在しないか、または、統括制御装置１１２から受信したパスワードとユーザ情報記憶部１０３に格納されているユーザ情報のパスワードが一致しないと判断した場合には、認証失敗であるとして、処理はステップＳ５０４に進む。
【０１４３】
要求処理部１１０が、統括制御装置１１２から受信したユーザＩＤに対応するユーザ情報が存在し、かつ、統括制御装置１１２から受信したパスワードとユーザ情報記憶部１０３に格納されているユーザ情報のパスワードが一致すると判断した場合には、認証成功であるとして、処理はステップＳ５０５に進む。ここでは、要求処理部１１０が、統括制御装置１１２から受信したユーザＩＤに対応するユーザ情報が存在しないか、または、統括制御装置１１２から受信したパスワードとユーザ情報記憶部１０３に格納されているユーザ情報のパスワードが一致しないと判断したと仮定して、ステップＳ５０４に進む。
【０１４４】
ステップＳ５０４においては、要求処理部１１０が、上記ステップＳ５０３において認証失敗であると判断した場合に、認証失敗の旨を通信部１１１経由で統括制御装置１１２に送信する。そして処理はステップＳ５０１に戻る。
【０１４５】
ステップＳ５０５においては、要求処理部１１０が、統括制御装置１１２から受信したユーザＩＤをポイント情報管理部１０８に送信し、ポイント情報記憶部１０４から、ユーザＩＤに対応するポイント情報を読み出すよう依頼する。ポイント情報管理部１０８は、受信したユーザＩＤをポイント情報記憶部１０４に送信し、ポイント情報記憶部１０４は受信したユーザＩＤに対応するポイント情報を読み出し、ポイント情報管理部１０８に送信する。ポイント情報管理部１０８は、受信したポイント情報を要求処理部１１０に送信する。そして処理はステップＳ５０６に送信する。
【０１４６】
ステップＳ５０６においては、要求処理部１１０が、料金情報管理部１０５に対して、料金情報記憶部１０５に格納されている料金情報を読み出すよう依頼する。料金情報管理部１０９は、料金情報の読み出し依頼を受けると、料金情報記憶部１０５に料金情報の読出しを依頼する。料金情報記憶部１０５は、格納されている料金情報を読み出し、料金情報管理部１０９に送信する。料金情報管理部１０９は、受信した料金情報を要求処理部１１０に送信する。そして処理はステップＳ５０７に進む。
【０１４７】
ステップＳ５０７においては、要求処理部１１０が、上記ステップＳ５０３における認証結果が認証成功であるとして、上記ステップＳ５０５において読み出されたポイント情報と、上記ステップＳ５０６において読み出された料金情報とを通信部１１１経由で統括制御装置１１２に送信する。そして処理はステップＳ５０８に進む。
【０１４８】
ステップＳ５０８においては、要求処理部１１０が、統括制御装置１１２の統括処理部１１５から送信された入稿データ、入稿ページ数、コンテンツ報酬、残ポイントを通信部１１１経由で受信したか否かを判断する。要求処理部１１０が入稿データ、入稿ページ数、コンテンツ報酬、残ポイントを受信していないと判断した場合は、再度ステップＳ５０８を繰り返す。要求処理部１１０が入稿データ、入稿ページ数、コンテンツ報酬、残ポイントを受信したと判断した場合は、ステップＳ５０９に進む。ここでは、要求処理部１１０が入稿データ、入稿ページ数、コンテンツ報酬、残ポイントを受信したと判断したと仮定して、ステップＳ５０９に進む。
【０１４９】
ステップＳ５０９においては、要求処理部１１０が、上記ステップＳ５０８で受信した入稿データ、入稿ページ数、コンテンツ報酬をコンテンツ情報記憶部１０２に格納するために、コンテンツ情報に一意なコンテンツＩＤを発行する。そして処理はステップＳ５１０に進む。
【０１５０】
ステップＳ５１０においては、要求処理部１１０が、上記ステップＳ５０８で受信された入稿データを、ＨＤＤ２１３に格納する。そして処理はステップＳ５１１に進む。
【０１５１】
ステップＳ５１１においては、要求処理部１１０が、上記ステップＳ５０１で受信したユーザＩＤと、上記ステップＳ５０９で発行されたコンテンツＩＤと、上記ステップＳ５１０で入稿データがＨＤＤ２１３上に格納された際のファイルパスと、上記ステップＳ５０８で受信した入稿ページ数、コンテンツ報酬を、コンテンツ情報管理部１０６に送信して、コンテンツ情報をコンテンツ情報記憶部１０２に格納するよう依頼する。コンテンツ情報管理部は、ユーザＩＤ、コンテンツＩＤ、ファイルパス、入稿ページ数、コンテンツ報酬を、コンテンツ情報記憶部１０２に送信し、コンテンツ情報記憶部１０２は、受信したユーザＩＤ、コンテンツＩＤ、ファイルパス、入稿ページ数、コンテンツ報酬を、コンテンツ情報として格納する。格納が終了した場合は、コンテンツ情報記憶部１０２は、コンテンツ情報管理部１０６にコンテンツ情報格納完了の旨を送信し、コンテンツ情報管理部は、受信したコンテンツ情報格納完了の旨を要求処理部１１０に送信する。そして処理はステップＳ５１２に進む。
【０１５２】
ステップＳ５１２においては、要求処理部１１０が、上記ステップＳ５０１で受信したユーザＩＤと、上記ステップＳ５０８で受信した残ポイントを、ポイント情報管理部１０８に送信し、ポイント情報記憶部１０４にユーザＩＤに対応するポイント情報を更新して再格納するよう依頼する。ポイント情報管理部１０４は、ユーザＩＤ、残ポイントを受信した場合、ポイント情報記憶部１０５からユーザＩＤに対応するポイント情報の読み出しを依頼し、ポイント情報記憶部１０５はユーザＩＤに対応するポイント情報を読み出してポイント情報管理部１０８に送信する。ポイント情報管理部１０８は、受信したポイント情報の残ポイントを、要求処理部１１０から受信した残ポイントで更新し、ポイント情報記憶部１０４に対してポイント情報の再格納を依頼する。ポイント情報記憶部１０４は、更新されたポイント情報を再格納し、再格納終了の旨をポイント情報管理部１０８に送信する。ポイント情報管理部１０８は、ポイント情報再格納終了の旨を受信すると、要求処理部１１０に送信する。そして処理はステップＳ５１３に進む。
【０１５３】
ステップＳ５１３においては、要求処理部１１０が、通信部１１１経由で統括制御装置１１２に入稿完了の旨を送信する。そして処理は終了する。
【０１５４】
＜印刷時における統括制御装置のフローチャート＞
次に、統括制御装置１１２による印刷処理について図６を参照しながら説明する。
【０１５５】
図６は、統括制御装置１１２による印刷処理の手順を示すフローチャートである。この手順は、ＣＰＵ２０１により実行されるものである。
【０１５６】
統括制御装置１１２においては、図６に示すように、まずステップＳ６０１で、統括処理部１１５が、ユーザの認証を行うために、表示部１１４に対して後述のログイン画面８０１（図８に示す）の表示を依頼し、表示部１１４は、ＣＲＴ２０９にログイン画面８０１を表示させる。そして処理はステップＳ６０２に進む。
【０１５７】
ステップＳ６０２においては、ユーザが上記ステップＳ６０１で表示された後述のログイン画面８０１（図８に示す）上で、ユーザＩＤ、パスワードを入力する。ユーザが、ＯＫボタン８０４を押下すると、ユーザのログイン画面８０１への入力が終了したと判断して、処理はステップＳ６０３に進む。
【０１５８】
ステップＳ６０３においては、ユーザが後述のログイン画面８０１（図８に示す）上で入力したユーザＩＤ、パスワードを、統括処理部１１５が通信部１１３に送信し、通信部１１３は、受け取ったユーザＩＤ、パスワードを通信部１１１に送信し、コンテンツ販売サーバ１０１でユーザＩＤ、パスワードの認証処理が行われる。そして、処理はステップＳ６０４に進む。
【０１５９】
ステップＳ６０４においては、通信部１１３がコンテンツ販売サーバ１０１でユーザ認証処理が行われた結果を受信したか否かを判断する。通信部１１３がユーザ認証結果を受信していないと判断された場合は、再度ステップＳ６０４を繰り返し、通信部１１３がユーザ認証結果を受信したと判断した場合は、通信部１１３はユーザ認証結果を統括処理部１１５に送信し、処理はステップＳ６０５に進む。ここでは、通信部１１３がユーザ認証結果を受信したと判断したと仮定して、ステップＳ６０５に進む。
【０１６０】
ステップＳ６０５においては、前記ステップＳ６０４において、統括処理部１１５が、通信部１１３が受信したユーザ認証結果がポイント情報と料金情報であるか否かを判断する。統括処理部１１５が、通信部１１３が受信したユーザ認証結果がポイント情報と料金情報であると判断した場合は、処理はステップＳ６０６に進み、統括処理部１１５が、通信部１１３が受信したユーザ認証結果がポイント情報と料金情報でないと判断した場合は、ユーザ認証失敗として、前記ステップＳ６０１に戻る。ここでは、統括処理部１１５が、通信部１１３が受信したユーザ認証結果がポイント情報と料金情報であると判断したと仮定して、ステップＳ６０６に進む。
【０１６１】
ステップＳ６０６においては、統括処理部１１５が、ユーザが要求する処理の問い合わせを行うために、表示部１１４に対して後述のメニュー画面９０１（図９に示す）の表示を依頼し、表示部１１４は、ＣＲＴ２０９にメニュー画面９０１を表示させる。そして処理はステップ６０７に進む。
【０１６２】
ステップＳ６０７においては、ユーザが上記ステップＳ６０６で表示された後述のメニュー画面９０１（図９に示す）上で、ユーザが要求する処理を入力する。ユーザが、入稿ボタン９０２、印刷ボタン９０３、ログアウトボタン９０４のいずれかを押下すると、ユーザのメニュー画面９０１への入力が終了したと判断して、処理はステップＳ６０８に進む。
【０１６３】
ステップＳ６０８においては、統括処理部１１５が、ユーザが上記ステップＳ６０７で表示された後述のメニュー画面９０１（図９に示す）上で、ユーザが押下したボタンがログアウトボタン９０４であるか否かを判断する。統括処理部１１５が、ユーザがログアウトボタン９０４を押下したと判断した場合は、処理はステップＳ６０１に戻る。統括処理部１１５が、ユーザがログアウトボタン９０４以外のボタンを押下したと判断した場合は、処理はステップＳ６０９に進む。ここでは、統括処理部１１５が、ユーザがログアウトボタン９０４以外のボタンを押下したと判断したと仮定して、処理はステップＳ６０９に進む。
【０１６４】
ステップＳ６０９においては、統括処理部１１５が、ユーザが上記ステップＳ６０７で表示された後述のメニュー画面９０１（図９に示す）上で、ユーザが押下したボタンが印刷ボタン９０３であるか否かを判断する。統括処理部１１５が、ユーザが印刷ボタン９０３以外のボタンを押下したと判断した場合は、処理はステップＳ６０１に戻る。統括処理部１１５が、ユーザが印刷ボタン９０３を押下したと判断した場合は、処理はステップＳ６１０に進む。ここでは、統括処理部１１５が、ユーザが印刷ボタン９０３を押下したと判断したと仮定して、処理はステップＳ６１０に進む。
【０１６５】
ステップＳ６１０においては、統括処理部１１５が、後述のコンテンツ選択画面１４０１（図１４に示す）のコンテンツ１４０３を表示するために、通信部１１３経由でコンテンツ一覧要求をコンテンツ販売サーバ１０１に送信する。そして処理はステップＳ６１１に進む。
【０１６６】
ステップＳ６１１においては、統括処理部１１５が、通信部１１３経由でコンテンツ販売サーバ１０１からコンテンツ一覧を受信したか否かを判断する。統括処理部１１５が、コンテンツ販売サーバ１０１からコンテンツ一覧を受信していないと判断した場合には、ステップＳ６１１を繰り返す。統括処理部１１５が、コンテンツ販売サーバ１０１からコンテンツ一覧を受信したと判断した場合には、ステップＳ６１２に進む。ここでは、統括処理部１１５が、コンテンツ販売サーバ１０１からコンテンツ一覧を受信したと判断したと仮定して、ステップＳ６１２に進む。
【０１６７】
ステップＳ６１２においては、統括処理部１１５が、印刷するコンテンツをユーザに問い合わせるために、表示部１１４に対して後述のコンテンツ選択画面１４０１（図１４に示す）の表示を依頼し、表示部１１４は、ＣＲＴ２０９にコンテンツ選択画面１４０１を表示させる。そして処理はステップＳ６１３に進む。
【０１６８】
ステップＳ６１３においては、ユーザが上記ステップＳ６１２で表示された後述のコンテンツ選択画面１４０１（図１４に示す）上で、コンテンツＩＤを選択する。ユーザが、ＯＫボタン１４０４を押下すると、ユーザのコンテンツ選択画面１４０１への入力が終了したと判断して、処理はステップＳ６１４に進む。
【０１６９】
ステップＳ６１４においては、統括処理部１１５が、上記ステップＳ６１３において、後述のコンテンツ選択画面１４０１（図１４に示す）で、ユーザが選択したコンテンツＩＤを、通信部１１３経由でコンテンツ販売サーバ１０１に送信する。そして処理はステップＳ６１５に進む。
【０１７０】
ステップＳ６１５においては、統括処理部１１５が、通信部１１３経由でコンテンツ販売サーバ１０１からコンテンツデータを受信したか否かを判断する。統括処理部１１５が、コンテンツ販売サーバ１０１からコンテンツデータを受信していないと判断した場合には、ステップＳ６１５を繰り返す。統括処理部１１５が、コンテンツ販売サーバ１０１からコンテンツデータを受信したと判断した場合には、ステップＳ６１６に進む。ここでは、統括処理部１１５が、コンテンツ販売サーバ１０１からコンテンツデータを受信したと判断したと仮定して、ステップＳ６１６に進む。
【０１７１】
ステップＳ６１６においては、統括処理部１１５が、印刷時の印刷設定をユーザに問い合わせるために、表示部１１４に対して後述の印刷設定入力画面１５０１（図１５に示す）の表示を依頼し、表示部１１４は、ＣＲＴ２０９に印刷設定入力画面１５０１を表示させる。そして処理はステップＳ６１７に進む。
【０１７２】
ステップＳ６１７においては、ユーザが上記ステップＳ６１６で表示された後述の印刷設定入力画面１５０１（図１５に示す）上で、印刷設定を入力する。ユーザが、現金で支払ＯＫボタン１５０９、ポイントで支払ＯＫボタン１５１０、キャンセルボタン１５１１のいずれかを押下すると、ユーザの印刷設定入力画面１５０１への入力が終了したと判断して、処理はステップＳ６１８に進む。
【０１７３】
ステップＳ６１８においては、統括処理部１１５が、上記ステップＳ６１７において、後述の印刷設定入力画面１５０１（図１５に示す）で、ユーザがキャンセルボタン１５１１を押下したか否かを判断する。統括処理部１１５が、ユーザがキャンセルボタン１５１１を押下したと判断した場合は、処理はステップＳ６０６に戻る。統括処理部１１５が、ユーザがキャンセルボタン１５１１以外のボタンを押下したと判断した場合は、処理はステップＳ６１９に進む。ここでは、統括処理部１１５が、ユーザがキャンセルボタン１５１１以外のボタンを押下したと判断したと仮定して、ステップＳ６１９に進む。
【０１７４】
ステップＳ６１９においては、統括処理部１１５が、ユーザが上記ステップＳ６１６で表示された後述の印刷設定入力画面１５０１（図１５に示す）上で、ユーザが押下したボタンが現金で支払ＯＫボタン１５０９であるか否かを判断する。統括処理部１１５が、ユーザが現金で支払ＯＫボタン１５０９を押下したと判断した場合は、処理はステップＳ６２１に進む。統括処理部１１５が、ユーザが現金で支払ＯＫボタン１５０９以外のボタンを押下したと判断した場合は、処理はステップＳ６２０に進む。ここでは、統括処理部１１５が、ユーザが現金で支払ＯＫボタン１５０９以外のボタンを押下したと判断したと仮定して、処理はステップＳ６２０に進む。
【０１７５】
ステップＳ６２０においては、統括処理部１１５が、上記ステップＳ６０５でコンテンツ販売サーバ１０１から受信した料金情報のうち印刷時必要なポイントと、コンテンツ報酬の値を加算して１ページあたりの印刷ポイントとし、さらにコンテンツのページ数を積算してコンテンツ１部の印刷ポイントとし、さらに部数を積算して全体の印刷ポイントとし、上記ステップＳ６０５でコンテンツ販売サーバ１０１から受信したポイント情報のうち残ポイントの値から、全体の印刷ポイントの値を減算し、新たな残ポイントとする。そして処理はステップＳ６２２に進む。
【０１７６】
ステップＳ６２１においては、統括処理部１１５が、上記ステップＳ６０５でコンテンツ販売サーバ１０１から受信した料金情報のうち印刷料金の値とコンテンツ報酬の値を加算して１ページの印刷料金とし、さらにページ数を積算して１部の印刷料金とし、さらに部数を積算して全体の印刷料金とし、全体の印刷料金を課金処理部１１６に送信し、ユーザへの課金処理を依頼する。課金処理部１１６では、受信した印刷料金の値をコインベンダ２１７に送信して、ユーザへの課金を依頼する。課金処理部１１６が、コインベンダ２１７から、ユーザが投入した現金に対して課金を行った旨を受信すると、統括処理部１１５に対して課金処理が終了した旨を送信する。統括処理部１１５は、課金処理部１１６から、課金処理が終了した旨を受信すると、処理はステップＳ６２２に進む。
【０１７７】
ステップＳ６２２においては、統括処理部１１５が、上記ステップＳ６１５においてコンテンツ販売サーバ１０１で受信したコンテンツデータを、プリンタ２１５に送信して印刷を行う。統括処理部１１５が、プリンタ２１５から印刷完了の旨を受信したら、処理はステップＳ６２３に進む。
【０１７８】
ステップＳ６２３においては、統括処理部１１５が、通信部１１３経由でコンテンツ販売サーバ１０１に、上記ステップＳ６１７において、後述の印刷設定入力画面１５０１（図１５に示す）の部数１５０７にユーザが入力した部数の値と、残ポイントの値を送信する。そして処理はステップＳ６２４に進む。
【０１７９】
ステップＳ６２４においては、統括処理部１１５が、通信部１１３経由でコンテンツ販売サーバ１０１から処理完了の旨を受信したか否かを判断する。統括処理部１１５が、処理完了の旨を受信していないと判断した場合は、ステップＳ６２４を繰り返す。統括処理部１１５が、処理完了の旨を受信したと判断した場合は、ステップＳ６２５に進む。ここでは、統括処理部１１５が、処理完了の旨を受信したと判断したと仮定して、ステップＳ６２５に進む。
【０１８０】
ステップＳ６２５においては、統括処理部１１５が、印刷完了をユーザに確認するために、表示部１１４に対して後述の印刷完了画面１６０１（図１６に示す）の表示を依頼し、表示部１１４は、ＣＲＴ２０９に印刷完了画面１６０１を表示させる。そして処理はステップＳ６２６に進む。
【０１８１】
ステップＳ６２６においては、ユーザが上記ステップＳ６２５で表示された後述の印刷完了画面１６０１（図１６に示す）上で、ＯＫボタン１６０２を押下する。ユーザが、ＯＫボタン１６０２を押下すると、ユーザの印刷完了画面１６０１への入力が終了したと判断して、処理は終了する。
【０１８２】
＜印刷時のコンテンツ販売サーバのフローチャート＞
次に、コンテンツ販売サーバ１０１による印刷処理について図７を参照しながら説明する。
【０１８３】
図７は、コンテンツ販売サーバ１０１による印刷処理の手順を示すフローチャートである。この手順は、ＣＰＵ２０１により実行されるものである。
【０１８４】
コンテンツ販売サーバ１０１においては、図７に示すように、まずステップＳ７０１において、要求処理部１１０が、統括制御装置１１２の統括処理部１１５から送信されたユーザＩＤとパスワードを通信部１１１経由で受信したか否かを判断する。要求処理部１１０がユーザＩＤとパスワードを受信していないと判断した場合は、再度ステップＳ７０１を繰り返す。要求処理部１１０がユーザＩＤとパスワードを受信したと判断した場合は、ステップＳ７０２に進む。ここでは、要求処理部１１０がユーザＩＤとパスワードを受信したと判断したと仮定して、ステップＳ７０２に進む。
【０１８５】
ステップＳ７０２においては、要求処理部１１０が、上記ステップＳ７０１において統括制御装置１１２から受信したユーザＩＤとパスワードを認証するために、受信したユーザＩＤをユーザ情報管理部１０７に送信し、ユーザＩＤに対応するユーザ情報を、ユーザ情報記憶部１０３から読み出すよう依頼する。ユーザ情報管理部１０７は、受信したユーザＩＤをユーザ情報記憶部１０３に送信し、ユーザ情報記憶部１０３では、受信したユーザＩＤに対応するユーザ情報を読み出す。読み出されたユーザ情報は、ユーザ情報記憶部１０３からユーザ情報管理部１０７に送信され、さらに、ユーザ情報管理部１０７から、要求処理部１１０に送信される。そして処理はステップＳ７０３に進む。
【０１８６】
ステップＳ７０３においては、上記ステップＳ７０２において、要求処理部１１０が、ユーザ情報記憶部１０３に、統括制御装置１１２から受信したユーザＩＤに対応するユーザ情報が存在しないか、または、統括制御装置１１２から受信したパスワードとユーザ情報記憶部１０３に格納されているユーザ情報のパスワードが一致しないか否かを判断する。要求処理部１１０が、統括制御装置１１２から受信したユーザＩＤに対応するユーザ情報が存在しないか、または、統括制御装置１１２から受信したパスワードとユーザ情報記憶部１０３に格納されているユーザ情報のパスワードが一致しないと判断した場合には、認証失敗であるとして、処理はステップＳ７０４に進む。要求処理部１１０が、統括制御装置１１２から受信したユーザＩＤに対応するユーザ情報が存在し、かつ、統括制御装置１１２から受信したパスワードとユーザ情報記憶部１０３に格納されているユーザ情報のパスワードが一致すると判断した場合には、認証成功であるとして、処理はステップＳ７０５に進む。ここでは、要求処理部１１０が、統括制御装置１１２から受信したユーザＩＤに対応するユーザ情報が存在しないか、または、統括制御装置１１２から受信したパスワードとユーザ情報記憶部１０３に格納されているユーザ情報のパスワードが一致しないと判断したと仮定して、ステップＳ７０４に進む。
【０１８７】
ステップＳ７０４においては、要求処理部１１０が、上記ステップＳ７０３において認証失敗であると判断した場合に、認証失敗の旨を通信部１１１経由で統括制御装置１１２に送信する。そして処理はステップＳ７０１に戻る。
【０１８８】
ステップＳ７０５においては、要求処理部１１０が、統括制御装置１１２から受信したユーザＩＤをポイント情報管理部１０８に送信し、ポイント情報記憶部１０４から、ユーザＩＤに対応するポイント情報を読み出すよう依頼する。ポイント情報管理部１０８は、受信したユーザＩＤをポイント情報記憶部１０４に送信し、ポイント情報記憶部１０４は受信したユーザＩＤに対応するポイント情報を読み出し、ポイント情報管理部１０８に送信する。ポイント情報管理部１０８は、受信したポイント情報を要求処理部１１０に送信する。そして処理はステップＳ７０６に送信する。
【０１８９】
ステップＳ７０６においては、要求処理部１１０が、料金情報管理部１０５に対して、料金情報記憶部１０５に格納されている料金情報を読み出すよう依頼する。料金情報管理部１０９は、料金情報の読み出し依頼を受けると、料金情報記憶部１０５に料金情報の読出しを依頼する。料金情報記憶部１０５は、格納されている料金情報を読み出し、料金情報管理部１０９に送信する。料金情報管理部１０９は、受信した料金情報を要求処理部１１０に送信する。そして処理はステップＳ７０７に進む。
【０１９０】
ステップＳ７０７においては、要求処理部１１０が、上記ステップＳ７０３における認証結果が認証成功であるとして、上記ステップＳ５０５において読み出されたポイント情報と、上記ステップＳ７０６において読み出された料金情報とを通信部１１１経由で統括制御装置１１２に送信する。そして処理はステップＳ７０８に進む。
【０１９１】
ステップＳ７０８においては、要求処理部１１０が、通信部１１１経由で統括制御装置１１２からコンテンツ一覧要求を受信したか否かを判断する。要求処理部１１０が、コンテンツ一覧要求を受信しなかったと判断した場合は、ステップＳ７０８を繰り返す。要求処理部１１０が、コンテンツ一覧要求を受信したと判断した場合は、ステップＳ７０９に進む。ここでは、要求処理部１１０が、コンテンツ一覧要求を受信したと判断したと仮定して、ステップＳ７０９に進む。
【０１９２】
ステップＳ７０９においては、要求処理部１１０が、コンテンツ情報管理部１０６に対して、コンテンツ情報記憶部１０２に格納されているコンテンツ情報の一覧を取得するように依頼する。コンテンツ情報管理部１０６は、コンテンツ一覧要求を受信すると、コンテンツ情報記憶部１０２に対してコンテンツ情報の一覧の取得を指示する。コンテンツ情報記憶部１０２は、コンテンツ情報の一覧要求を受信すると、格納されているコンテンツ情報の一覧を取得し、コンテンツ情報管理部１０６に送信する。コンテンツ情報管理部１０６は、コンテンツ情報一覧を受信すると、要求処理部１１０にコンテンツ情報一覧を送信する。そして処理はステップＳ７１０に進む。
【０１９３】
ステップＳ７１０においては、要求処理部１１０が、上記ステップＳ７０９において、コンテンツ情報管理部１０６から取得したコンテンツ情報一覧を、通信部１１１経由で統括制御装置１１２に送信する。そして処理はステップＳ７１１に進む。
【０１９４】
ステップＳ７１１においては、要求処理部１１０が、通信部１１１経由で統括制御装置１１２からコンテンツＩＤを受信したか否かを判断する。要求処理部１１０がコンテンツＩＤを受信しなかったと判断した場合は、処理はステップＳ７１１を繰り返す。要求処理部１１０がコンテンツＩＤを受信したと判断した場合は、処理はステップＳ７１２に進む。ここでは、要求処理部１１０がコンテンツＩＤを受信したと判断したと仮定して、ステップＳ７１２に進む。
【０１９５】
ステップＳ７１２においては、要求処理部１１０が、上記ステップＳ７１１において、統括制御装置１１２から受信したコンテンツＩＤをコンテンツ情報管理部１０６に送信して、コンテンツＩＤに対応するコンテンツ情報を、コンテンツ情報記憶部１０２から読み出すよう依頼する。コンテンツ情報管理部１０６は、受信したコンテンツＩＤをコンテンツ情報記憶部１０２に送信して、コンテンツＩＤに対応するコンテンツ情報を読み出すよう指示する。コンテンツ情報記憶部１０２は、受信したコンテンツＩＤに対応するコンテンツ情報を読み出し、コンテンツ情報管理部１０６に送信する。コンテンツ情報管理部１０６は、コンテンツＩＤに対応するコンテンツ情報を受信すると、受信したコンテンツ情報を要求処理部１１０に送信する。そして処理はＳ７１３に進む。
【０１９６】
ステップＳ７１３においては、要求処理部１１０が、ＨＤＤ２１３から、上記ステップＳ７１２において読み出されたコンテンツ情報のファイルパスにあるコンテンツデータを読み出す。そして処理はステップＳ７１４に進む。
【０１９７】
ステップＳ７１４においては、要求処理部１１０が、上記ステップＳ７１３において読み出されたコンテンツデータを、通信部１１１経由で統括制御装置１１２に送信する。そして処理はステップＳ７１５に進む。
【０１９８】
ステップＳ７１５においては、要求処理部１１０が、通信部１１３経由で統括制御装置１１２から、部数、残ポイントを受信したか否かを判断する。要求処理部１１０が、部数、残ポイントを受信していないと判断した場合は、ステップＳ７１５を繰り返す。要求処理部１１０が、部数、残ポイントを受信したと判断した場合は、ステップＳ７１６に進む。ここでは、要求処理部１１０が、部数、残ポイントを受信したと判断したと仮定して、ステップＳ７１６に進む。
【０１９９】
ステップＳ７１６においては、要求処理部１１０が、上記ステップＳ７０１で受信したユーザＩＤと、上記ステップＳ７１５で受信した残ポイントを、ポイント情報管理部１０８に送信し、ポイント情報記憶部１０４にユーザＩＤに対応するポイント情報を更新して再格納するよう依頼する。ポイント情報管理部１０４は、ユーザＩＤ、残ポイントを受信した場合、ポイント情報記憶部１０５からユーザＩＤに対応するポイント情報の読み出しを依頼し、ポイント情報記憶部１０５はユーザＩＤに対応するポイント情報を読み出してポイント情報管理部１０８に送信する。ポイント情報管理部１０８は、受信したポイント情報の残ポイントを、要求処理部１１０から受信した残ポイントで更新し、ポイント情報記憶部１０４に対してポイント情報の再格納を依頼する。ポイント情報記憶部１０４は、更新されたポイント情報を再格納し、再格納終了の旨をポイント情報管理部１０８に送信する。ポイント情報管理部１０８は、ポイント情報再格納終了の旨を受信すると、要求処理部１１０に送信する。そして処理はステップＳ７１７に進む。
【０２００】
ステップＳ７１７においては、要求処理部１１０が、入稿ユーザの残ポイントを加算するために、上記ステップＳ７１２で読みされたコンテンツ情報の入稿ユーザＩＤをポイント情報管理部１０８に送信し、ポイント情報記憶部１０４〜、ユーザＩＤに対応するポイント情報を読み出し、残ポイントを取得し、上記ステップＳ７１２で読み出されたコンテンツ情報のコンテンツ報酬と、原稿ページ数を積算し、さらに、上記ステップＳ７１５で要求処理部１１０が統括制御装置１１２から受信した部数を積算し、残ポイントに加算して新たな残ポイントとし、上記ステップＳ７１２で読みされたコンテンツ情報の入稿ユーザＩＤと、計算された新しい残ポイントをポイント情報管理部１０８に送信し、ポイント情報記憶部１０４にユーザＩＤに対応するポイント情報を更新して再格納するよう依頼する。
【０２０１】
ポイント情報管理部１０４は、ユーザＩＤ、残ポイントを受信した場合、ポイント情報記憶部１０５からユーザＩＤに対応するポイント情報の読み出しを依頼し、ポイント情報記憶部１０５はユーザＩＤに対応するポイント情報を読み出してポイント情報管理部１０８に送信する。ポイント情報管理部１０８は、受信したポイント情報の残ポイントを、要求処理部１１０から受信した残ポイントで更新し、ポイント情報記憶部１０４に対してポイント情報の再格納を依頼する。ポイント情報記憶部１０４は、更新されたポイント情報を再格納し、再格納終了の旨をポイント情報管理部１０８に送信する。ポイント情報管理部１０８は、ポイント情報再格納終了の旨を受信すると、要求処理部１１０に送信する。そして処理はステップＳ７１８に進む。
【０２０２】
ステップＳ７１８においては、要求処理部１１０が、通信部１１１経由で統括制御装置１１２に処理完了を送信する。そして処理は終了する。
【０２０３】
＜ログイン画面＞
次に、ログイン画面８０１について図８を参照しながら説明する。
【０２０４】
図８は、統括制御装置１１２に表示されるログイン画面の一例である。この画面の表示処理はＣＰＵ２０１の命令に基づいて表示部１１４により実行される。本画面上でのユーザによる入力操作には、キーボード２１１、マウス２１２などが用いられる。
【０２０５】
ログイン画面８０１には、ユーザＩＤ入力ボックス８０２、パスワード入力ボックス８０３、ＯＫボタン８０４などが表示される。また、ログイン画面８０１に対して、例えば、ユーザ情報として、ユーザグループ入力ボックスや、ユーザ所属入力ボックスなどを追加することができる。
【０２０６】
ユーザＩＤ入力ボックス８０２は、ユーザが統括制御装置１１２に対して、ユーザ情報におけるユーザＩＤを入力するための入力ボックスである。入力されたユーザＩＤは、統括処理部１１５から通信部１１３経由で要求処理部１１０に送信され、ユーザ認証に用いられる。
【０２０７】
パスワード入力ボックス８０３は、ユーザが統括制御装置１１２に対して、ユーザ情報におけるパスワードを入力するための入力ボックスである。入力されたパスワードは、統括処理部１１５から通信部１１３経由で要求処理部１１０に送信され、ユーザ認証に用いられる。
【０２０８】
ＯＫボタン８０４は、ユーザが統括制御装置１１２に対して、ユーザ情報をコンテンツ販売サーバに送信し、ユーザ認証を行うことを指示するためのボタンである。ＯＫボタンが押下されると、ユーザＩＤ入力ボックス８０２に入力されているユーザＩＤ、及び、パスワード入力ボックス８０３に入力されているパスワードが、ユーザ情報として、統括処理部１１５から通信部１１３経由で要求処理部１１０に送信される。要求処理部１１０でのユーザ認証処理、ポイント情報読み出し処理、料金情報読み出し処理が終了した後、ユーザ認証結果、または、ポイント情報と料金情報が、通信部１１１経由で統括処理部１１５に送信される。そして、ユーザ認証結果が返された場合に、ユーザ認証結果が認証失敗であった場合は、ログイン画面８０１上に認証失敗である旨を表示し、ポイント情報と料金情報が返された場合は、メニュー画面９０１に移行する。
【０２０９】
＜メニュー画面＞
次に、メニュー画面９０１について図９を参照しながら説明する。
【０２１０】
図９は、統括制御装置１１２に表示されるメニュー画面の一例である。この画面の表示処理はＣＰＵ２０１の命令に基づいて表示部１１４により実行される。本画面上でのユーザによる入力操作には、キーボード２１１、マウス２１２などが用いられる。
【０２１１】
メニュー画面９０１には、入稿ボタン９０２、印刷ボタン９０３、ログアウトボタン９０４などが表示される。また、メニュー画面９０１に対して、例えば、ユーザ情報として、ユーザＩＤ、ユーザ名、ユーザの所属、ポイント情報として、残りポイントなどを追加することができる。
【０２１２】
入稿ボタン９０２は、ユーザが統括制御装置１１２に対して、紙原稿のコンテンツ販売サーバ１０１への入稿処理を行うことを指示するためのボタンである。ユーザが入稿ボタン９０２を押下した場合、入稿設定入力画面１００１に移行する。
【０２１３】
印刷ボタン９０３は、ユーザが統括制御装置１１２に対して、コンテンツ販売サーバ１０１に保存されているコンテンツデータの印刷処理を行うことを指示するためのボタンである。ユーザが印刷ボタン９０３を押下した場合、コンテンツ選択画面１４０１に移行する。
【０２１４】
ログアウトボタン９０４は、ユーザが統括制御装置１１２に対して、ログアウトを指示するためのボタンである。ログアウトボタン９０４が押下されると、ログイン画面８０１に移行する。
【０２１５】
＜入稿設定入力画面＞
次に、入稿設定入力画面１００１について図１０を参照しながら説明する。
【０２１６】
図１０は、統括制御装置１１２に表示される入稿設定入力画面の一例である。この画面の表示処理はＣＰＵ２０１の命令に基づいて表示部１１４により実行される。本画面上でのユーザによる入力操作には、キーボード２１１、マウス２１２などが用いられる。
【０２１７】
入稿設定入力画面１００１には、用紙サイズ選択ラジオボタン１００２、カラーモード選択ラジオボタン１００３、コンテンツ名入力ボックス１００４、１ページあたりのコンテンツ報酬入力ボックス１００５、ＯＫボタン１００６、キャンセルボタン１００７などが表示される。また、入稿設定入力画面１００１に対して、例えば、入稿設定情報として、倍率入力ボックスや解像度入力チェックボックスなどを追加することができる。
【０２１８】
用紙サイズ選択ラジオボタン１００２は、ユーザが統括制御装置１１２に対して、紙原稿のスキャンを行う際の用紙サイズを指定するためのラジオボタンである。本実施の形態においては、用紙サイズ入力ラジオボタン１００２の選択項目として、Ａ３、Ａ４、Ｂ４、Ｂ５が表示されているが、前記以外の用紙サイズ（例えば、Ａ５やＬｅｔｔｅｒなど）が追加されてもよい。本実施の形態においては、入稿設定入力画面１００１上に用紙サイズ選択ラジオボタン１００２が設けられているが、用紙サイズをユーザに選択させることが無く、常に一定の用紙サイズで固定する場合には、用紙サイズ選択ラジオボタン１００２は必ずしも必要ではない。
【０２１９】
カラーモード入力ラジオボタン１００３は、ユーザが統括制御装置１１２に対して、紙原稿のスキャンを行う際のカラーモードを指定するためのラジオボタンである。本実施の形態においては、カラーモード入力ラジオボタン１００３の選択項目として、モノクロ、カラーが表示されているが、前記以外のカラーモード（例えば、２色版など）が追加されてもよい。本実施の形態においては、入稿設定入力画面１００１上にカラーモード入力ラジオボタン１００３が設けられているが、カラーモードをユーザに選択させることが無く、常に一定のカラーモードで固定する場合には、カラーモード入力ラジオボタン１００３は必ずしも必要ではない。
【０２２０】
コンテンツ名入力ボックス１００４は、ユーザが統括制御装置１１２に対して、コンテンツ情報のコンテンツ名を指定するための入力ボックスである。
【０２２１】
１ページあたりのコンテンツ報酬入力ボックス１００５は、ユーザが統括制御装置１１２に対して、コンテンツが１ページ印刷されるごとに、入稿ユーザに加算されるポイントである、コンテンツ情報のコンテンツ報酬を指定するための入力ボックスである。
【０２２２】
ＯＫボタン１００６は、ユーザが統括制御装置１１２に対して、入稿設定入力を終了し、次画面であるスキャン開始画面１１０１に移行することを指示するためのボタンである。ユーザがＯＫボタン１００６を押下すると、統括処理部１１５がスキャナ２１６を、入稿設定画面１００１に入力された入稿設定で設定し、スキャン開始画面１１０１に移行する。
【０２２３】
キャンセルボタン１００７は、ユーザが統括制御装置１１２に対して、入稿設定入力の中止を指示するためのボタンである。キャンセルボタン１００７が押下されると、メニュー画面９０１に移行する。本実施の形態においては、入稿設定入力画面１００１上にキャンセルボタン１００７が設けられているが、キャンセルボタン１００７は必ずしも必要ではない。
【０２２４】
＜スキャン開始画面＞
次に、スキャン開始画面１１０１について図１１を参照しながら説明する。
【０２２５】
図１１は、統括制御装置１１２に表示されるスキャン開始画面の一例である。この画面の表示処理はＣＰＵ２０１の命令に基づいて表示部１１４により実行される。本画面上でのユーザによる入力操作には、キーボード２１１、マウス２１２などが用いられる。
【０２２６】
スキャン開始画面１１０１には、現金で支払ＯＫボタン１１０２、ポイントで支払いＯＫボタン１１０３、キャンセルボタン１１０４などが表示される。また、スキャン開始画面１１０１に対して、例えば、入稿設定情報として、用紙サイズ表示、カラーモード表示、コンテンツ名表示、コンテンツ報酬表示、ユーザ情報として、ユーザＩＤ表示、ユーザ名表示などを追加することができる。
【０２２７】
現金で支払ＯＫボタン１１０２は、ユーザが統括制御装置１１２に対して、入稿料金を現金で支払い、かつ、紙原稿のスキャンの開始を指示するためのボタンである。ユーザがスキャナ２１６上に紙原稿を設置し、現金で支払いＯＫボタン１１０２を押下した場合は、統括処理部１１５がコインベンダ２１７に入稿料金を送信し、コインベンダ２１７への課金処理要求が送信される。そこで、ユーザが入稿料金以上の現金を投入すると、コインベンダ２１７が入稿料金を徴収し、課金処理完了が統括処理部１１５に送信され、統括処理部が課金完了を受信すると、統括処理部１１５はスキャナ２１６に対して紙原稿のスキャンが指示され、スキャナ２１６において紙原稿のスキャンが開始され、スキャンされたデータが統括処理部１１５に送信され、統括処理部１１５はスキャンされたデータを受信すると、スキャン終了画面１２０１に移行する。
【０２２８】
ポイントで支払ＯＫボタン１１０３は、ユーザが統括制御装置１１２に対して、入稿料金をポイントで支払い、かつ、紙原稿のスキャンの開始を指示するためのボタンである。ユーザがスキャナ２１６上に紙原稿を設置し、ポイントで支払いＯＫボタン１１０３を押下した場合は、統括処理部１１５が残ポイントから入稿時必要ポイントを減算し、スキャナ２１６に対して紙原稿のスキャンが指示され、スキャナ２１６において紙原稿のスキャンが開始され、スキャンされたデータが統括処理部１１５に送信され、統括処理部１１５はスキャンされたデータを受信すると、スキャン終了画面１２０１に移行する。
【０２２９】
キャンセルボタン１１０４は、ユーザが統括制御装置１１２に対して、紙原稿のスキャンの中止を指示するためのボタンである。キャンセルボタン１１０４が押下されると、メニュー画面９０１に移行する。本実施の形態においては、スキャン開始画面１１０１上にキャンセルボタン１１０４が設けられているが、キャンセルボタン１１０４は必ずしも必要ではない。
【０２３０】
＜スキャン終了画面＞
次に、スキャン終了画面１２０１について図１２を参照しながら説明する。
【０２３１】
図１２は、統括制御装置１１２に表示されるスキャン終了画面の一例である。この画面の表示処理はＣＰＵ２０１の命令に基づいて表示部１１４により実行される。本画面上でのユーザによる入力操作には、キーボード２１１、マウス２１２などが用いられる。
【０２３２】
スキャン終了画面１２０１には、連続ボタン１２０２、入稿ボタン１２０３、キャンセルボタン１２０４などが表示される。また、入稿設定情報として、用紙サイズ表示、カラーモード表示、コンテンツ名表示、コンテンツ報酬表示、ユーザ情報として、ユーザＩＤ表示、ユーザ名表示などを追加することができる。
【０２３３】
連続ボタン１２０２は、ユーザが統括制御装置１１２に対して、前画面スキャン開始画面１１０１でスキャンされたデータに追加して、さらに連続して紙原稿のスキャンを指示するためのボタンである。ユーザが連続ボタン１２０２を押下した場合は、スキャン開始画面１１０１に移行する。
【０２３４】
入稿ボタン１２０３は、ユーザが統括制御装置１１２に対して、スキャンされたデータをコンテンツ販売サーバ１０１に送信して入稿処理を指示するためのボタンである。ユーザが入稿ボタン１２０３を押下した場合は、統括処理部１１５が、入稿データ、入稿ページ数、コンテンツ報酬、残ポイントをコンテンツ販売サーバ１０１に送信し、コンテンツ販売サーバから通信部１１３経由で入稿完了を受信すると、入稿完了画面１３０１に移行する。
【０２３５】
キャンセルボタン１２０４は、ユーザが統括制御装置１１２に対して、スキャンされたデータの入稿の中止を指示するためのボタンである。キャンセルボタン１２０４が押下されると、メニュー画面９０１に移行する。本実施の形態においては、スキャン終了画面１２０１上にキャンセルボタン１２０４が設けられているが、キャンセルボタン１２０４は必ずしも必要ではない。
【０２３６】
＜入稿完了画面＞
次に、入稿完了画面１３０１について図１３を参照しながら説明する。
【０２３７】
図１３は、統括制御装置１１２に表示される入稿完了画面の一例である。この画面の表示処理はＣＰＵ２０１の命令に基づいて表示部１１４により実行される。本画面上でのユーザによる入力操作には、キーボード２１１、マウス２１２などが用いられる。
【０２３８】
入稿完了画面１３０１には、ＯＫボタン１３０２などが表示される。また、入稿設定情報として、用紙サイズ表示、カラーモード表示、コンテンツ報酬表示、ユーザ情報として、ユーザＩＤ表示、ユーザ名表示、コンテンツ情報としてコンテンツ名、ページ数などを追加することができる。
【０２３９】
ＯＫボタン１３０２は、ユーザが統括制御装置１１２に対して、入稿完了を確認した旨を指示するためのボタンである。ユーザがＯＫボタン１３０２を押下した場合は、統括制御装置１１２上における処理が終了する。
【０２４０】
＜コンテンツ選択画面＞
次に、コンテンツ選択画面１４０１について図１４を参照しながら説明する。
【０２４１】
図１４は、統括制御装置１１２に表示されるコンテンツ選択画面の一例である。この画面の表示処理はＣＰＵ２０１の命令に基づいて表示部１１４により実行される。本画面上でのユーザによる入力操作には、キーボード２１１、マウス２１２などが用いられる。
【０２４２】
コンテンツ選択画面１４０１には、コンテンツＩＤ入力ボックス１４０２、コンテンツ一覧１４０３、ＯＫボタン１４０４などが表示される。また、コンテンツ選択画面１４０１に対して、例えば、ユーザ情報として、ユーザＩＤ表示、ユーザ名表示や、キャンセルボタンなどを追加することができる。
【０２４３】
コンテンツＩＤ入力ボックス１４０２は、ユーザが統括制御装置１１２に対して、印刷を行うコンテンツのコンテンツＩＤを指定するための入力ボックスである。ユーザがコンテンツＩＤ入力ボックス１４０２にコンテンツＩＤを入力されると、統括処理部１１５は、コンテンツ一覧１４０３において、入力されたコンテンツＩＤに該当するコンテンツ情報のラジオボタンを選択状態にする。本実施の形態においては、コンテンツ選択画面１４０１上にコンテンツＩＤ入力ボックス１４０２が設けられているが、コンテンツＩＤ入力ボックス１４０２は必ずしも必要ではない。
【０２４４】
コンテンツ一覧１４０３は、ユーザが統括制御装置１１２に対して、印刷を行うコンテンツを指定するための表示である。コンテンツ一覧１４０３には、コンテンツ選択ラジオボタン、コンテンツ名表示、コンテンツＩＤ表示、ページ数表示、入稿ユーザ名表示、料金表示などが表示される。本実施の形態においては、コンテンツ一覧１４０３上にコンテンツ名表示、ページ数表示、入稿ユーザ名表示、料金表示などが設けられているが、コンテンツ名表示、ページ数表示、入稿ユーザ名表示、料金表示などは必ずしも必要ではない。ユーザがコンテンツ一覧１４０３上のラジオボタンを選択すると、選択されたコンテンツが印刷されることになる。
【０２４５】
ＯＫボタン１４０４は、ユーザが統括制御装置１１２に対して、印刷するコンテンツの選択が終了した旨を指示するためのボタンである。ユーザがＯＫボタンを押下すると、統括処理部１１５は、印刷設定入力画面１５０１に移行する。
【０２４６】
＜印刷設定入力画面＞
次に、印刷設定入力画面１５０１について図１５を参照しながら説明する。
【０２４７】
図１５は、統括制御装置１１２に表示される印刷設定入力画面の一例である。この画面の表示処理はＣＰＵ２０１の命令に基づいて表示部１１４により実行される。本画面上でのユーザによる入力操作には、キーボード２１１、マウス２１２などが用いられる。
【０２４８】
印刷設定入力画面１５０１には、コンテンツＩＤ表示１５０２、用紙サイズ入力ラジオボタン１５０３、両面モード入力ラジオボタン１５０４、カラーモード入力ラジオボタン１５０５、レイアウト入力ラジオボタン１５０６、部数入力ボックス１５０７、必要料金／ポイント表示１５０８、現金で支払いＯＫボタン１５０９、ポイントで支払いＯＫボタン１５１０、キャンセルボタン１５１１などが表示される。また、印刷設定入力画面１５０１に対して、例えば、印刷物情報として、ファイル名表示などや、印刷設定情報として、倍率入力ボックスや仕上げ入力チェックボックスなどを追加することができる。
【０２４９】
コンテンツＩＤ表示１５０２は、前記、コンテンツ選択画面１４０１のコンテンツＩＤ入力ボックス１４０２、または、コンテンツ一覧１４０３において、ユーザが選択したコンテンツＩＤを表示する表示欄である。本実施の形態においては、印刷設定入力画面１５０１上にコンテンツＩＤ１５０２が設けられているが、コンテンツＩＤ１５０２は必ずしも必要ではない。
【０２５０】
用紙サイズ入力ラジオボタン１５０３は、ユーザが統括制御装置１１２に対して、統括処理部１１５がプリンタ２１５に指示して印刷を行う際の用紙サイズを指定するためのラジオボタンである。本実施の形態においては、用紙サイズ入力ラジオボタン１５０３の選択項目として、Ａ３、Ａ４、Ｂ４、Ｂ５が表示されているが、前記以外の用紙サイズ（例えば、Ａ５やＬｅｔｔｅｒなど）が追加されてもよい。
【０２５１】
両面モード入力ラジオボタン１５０４は、ユーザが統括制御装置１１２に対して、統括処理部１１５がプリンタ２１５に指示して印刷を行う際の両面モードを指定するためのラジオボタンである。
【０２５２】
カラーモード入力ラジオボタン１５０５は、ユーザが統括制御装置１１２に対して、統括処理部１１５がプリンタ２１５に指示して印刷を行う際のカラーモードを指定するためのラジオボタンである。本実施の形態においては、カラーモード入力ラジオボタン１５０５の選択項目として、モノクロ、カラーが表示されているが、前記以外のカラーモード（例えば、２色刷りなど）が追加されてもよい。
【０２５３】
レイアウト入力ラジオボタン１５０６は、ユーザが統括制御装置１１２に対して、統括処理部１１５がプリンタ２１５に指示して印刷を行う際のレイアウトを指定するためのラジオボタンである。本実施の形態においては、レイアウト入力ラジオボタン１５０６の選択項目として、１ｕｐ、２ｕｐ、４ｕｐ、９ｕｐ、１６ｕｐが表示されているが、前記以外のレイアウト（例えば、６ｕｐ、８ｕｐなど）が追加されてもよい。
【０２５４】
部数入力ボックス１５０７は、ユーザが統括制御装置１１２に対して、統括処理部１１５がプリンタ２１５に指示して印刷を行う際の部数を指定するための入力ボックスである。
【０２５５】
必要料金／ポイント表示１５０８は、ユーザが選択したコンテンツの印刷料金または必要ポイントを表示する表示欄である。本実施の形態においては、印刷設定入力画面１５０１上に必要料金／ポイント表示１５０８が設けられているが、必要料金／ポイント表示１５０８は必ずしも必要ではない。
【０２５６】
現金で支払ＯＫボタン１５０９は、ユーザが統括制御装置１１２に対して、印刷料金を現金で支払い、かつ、上記コンテンツ選択画面１４０１上で選択されたコンテンツの印刷の開始を指示するためのボタンである。ユーザが現金で支払いＯＫボタン１５０９を押下した場合は、統括処理部１１５がコインベンダ２１７に印刷料金を送信し、コインベンダ２１７への課金処理要求が送信される。そこで、ユーザが印刷料金以上の現金を投入すると、コインベンダ２１７が印刷料金を徴収し、課金処理完了が統括処理部１１５に送信され、統括処理部が課金完了を受信すると、統括処理部１１５はプリンタ２１５に対してコンテンツデータを送信し印刷を指示し、プリンタ２１５においてコンテンツの印刷が開始され、印刷完了の旨がプリンタ２１５から統括処理部１１５に送信され、統括処理部１１５は印刷完了の旨を受信すると、印刷完了画面１６０１に移行する。
【０２５７】
ポイントで支払ＯＫボタン１５１０は、ユーザが統括制御装置１１２に対して、印刷料金をポイントで支払い、かつ、上記コンテンツ選択画面１４０１上で選択されたコンテンツの印刷の開始を指示するためのボタンである。ユーザがポイントで支払いＯＫボタン１５１０を押下した場合は、統括処理部１１５が残ポイントから印刷時必要ポイントを減算し、プリンタ２１５に対してコンテンツデータを送信し印刷を指示し、プリンタ２１５においてコンテンツの印刷が開始され、印刷完了の旨がプリンタ２１５から統括処理部１１５に送信され、統括処理部１１５は印刷完了の旨を受信すると、印刷完了画面１６０１に移行する。
【０２５８】
キャンセルボタン１５１１は、ユーザが統括制御装置１１２に対して、コンテンツデータの印刷の中止を指示するためのボタンである。キャンセルボタン１５１１が押下されると、メニュー画面９０１に移行する。本実施の形態においては、印刷設定入力画面１５０１上にキャンセルボタン１５１１が設けられているが、キャンセルボタン１５１１は必ずしも必要ではない。
【０２５９】
＜印刷完了画面＞
次に、印刷完了画面１６０１について図１６を参照しながら説明する。
【０２６０】
図１６は、統括制御装置１１２に表示される印刷完了画面の一例である。この画面の表示処理はＣＰＵ２０１の命令に基づいて表示部１１４により実行される。本画面上でのユーザによる入力操作には、キーボード２１１、マウス２１２などが用いられる。
【０２６１】
印刷完了画面１６０１には、ＯＫボタン１６０２などが表示される。また、印刷設定情報として、用紙サイズ表示、両面モード表示、カラーモード表示、レイアウト表示、部数表示、コンテンツ報酬表示、ユーザ情報として、ユーザＩＤ表示、ユーザ名表示、コンテンツ情報としてコンテンツ名、ページ数などを追加することができる。
【０２６２】
ＯＫボタン１６０２は、ユーザが統括制御装置１１２に対して、印刷完了を確認した旨を指示するためのボタンである。ユーザがＯＫボタン１６０２を押下した場合は、統括制御装置１１２上における処理が終了する。
【図面の簡単な説明】
【０２６３】
【図１】本発明の一実施形態に係るコンテンツ入稿販売システムの構成を示すブロック図である。
【図２】図１のコンテンツ販売サーバ１０１および統括制御装置１１２の構成を示すブロック図である。
【図３】コンテンツ情報、ユーザ情報、ポイント情報、および、料金情報を示す図である。
【図４】統括制御装置１１２において、ユーザが紙原稿の入稿を行う処理の手順を示すフローチャートである。
【図５】コンテンツ販売サーバ１０１において、ユーザが入稿したコンテンツを保存する処理の手順を示すフローチャートである。
【図６】統括制御装置１１２において、ユーザがコンテンツ販売サーバ１０１に入稿されているコンテンツの印刷を行う処理の手順を示すフローチャートである。
【図７】コンテンツ販売サーバ１０１において、ユーザが指定したコンテンツを読み出して、入稿ユーザの報酬ポイントを加算し、読み出されたコンテンツを統括制御装置１１２に送信する処理の手順を示すフローチャートである。
【図８】印刷制御装置１１２に表示される、ログイン画面の一例を示す図である。
【図９】印刷制御装置１１２に表示される、メニュー画面の一例を示す図である。
【図１０】印刷制御装置１１２に表示される、入稿設定入力画面の一例を示す図である。
【図１１】印刷制御装置１１２に表示される、スキャン開始画面の一例を示す図である。
【図１２】印刷制御装置１１２に表示される、スキャン終了画面の一例を示す図である。
【図１３】印刷制御装置１１２に表示される、入稿完了画面の一例を示す図である。
【図１４】印刷制御装置１１２に表示される、コンテンツ選択入力画面の一例を示す図である。
【図１５】印刷制御装置１１２に表示される、印刷設定入力画面の一例を示す図である。
【図１６】印刷制御装置１１２に表示される、印刷完了画面の一例を示す図である。
【符号の説明】
【０２６４】
１０１    コンテンツ販売サーバ
１０２    コンテンツ情報記憶部
１０３    ユーザ情報記憶部
１０４    ポイント情報記憶部
１０５    料金情報記憶部
１０６    コンテンツ情報管理部
１０７    ユーザ情報管理部
１０８    ポイント情報管理部
１０９    料金情報管理部
１１０    要求処理部
１１１    通信部
１１２    統括制御装置
１１３    通信部
１１４    表示部
１１５    統括処理部
１１６    課金処理部
１１７    インターネット
２００    入出力バス
２０１    ＣＰＵ
２０２    ランダムアクセスメモリ（ＲＡＭ）
２０３    リードオンリーメモリ（ＲＯＭ）
２０４    外部入出力装置（ＦＤＤ）
２０５    ネットワークインターフェース（ＮＥＴＩＦ）
２０６    ネットワーク接続装置（モデム）
２０７    ローカルネットワーク（ＬＡＮ）
２０８    ビデオＲＡＭ（ＶＲＡＭ）
２０９    表示装置（ＣＲＴ）
２１０    コントローラ（ＫＢＣ）
２１１    キーボード（ＫＢ）
２１２    ポインティングデバイス（マウス）
２１３    ハードディスクドライブ（ＨＤＤ）
２１４    外部入出力制御装置（ＩＯＣ）
２１５    印刷装置（ＰＲＴ）
２１６    読み取り装置（スキャナ）
２１７    料金投入装置（コインベンダ）
３０１    コンテンツ情報
３０２    コンテンツＩＤ
３０３    コンテンツ名
３０４    入稿ユーザＩＤ
３０５    ファイルパス
３０６    ページ数
３０７    コンテンツ報酬
３０８    ユーザ情報
３０９    ユーザＩＤ
３１０    ユーザ名
３１１    パスワード
３１２    ポイント情報
３１３    ユーザＩＤ
３１４    残ポイント
３１５    料金情報
３１６    入稿料金
３１７    入稿時必要ポイント
３１８    印刷料金
３１９    印刷時必要ポイント
８０１    ログイン画面
８０２    ユーザＩＤ
８０３    パスワード
８０４    ＯＫボタン
９０１    メニュー画面
９０２    入稿ボタン
９０３    印刷ボタン
９０４    ログアウトボタン
１００１  入稿設定入力画面
１００２  用紙サイズ選択ラジオボタン
１００３  カラーモード選択ラジオボタン
１００４  コンテンツ名入力ボックス
１００５  １ページあたりのコンテンツ報酬入力ボックス
１００６  ＯＫボタン
１００７  キャンセルボタン
１１０１  スキャン開始画面
１１０２  現金で支払ＯＫボタン
１１０３  ポイントで支払ボタン
１１０４  キャンセルボタン
１２０１  スキャン終了画面
１２０２  連続ボタン
１２０３  入稿ボタン
１２０４  キャンセルボタン
１３０１  入稿完了画面
１３０２  ＯＫボタン
１４０１  コンテンツ選択画面
１４０２  コンテンツＩＤ入力ボックス
１４０３  コンテンツ一覧
１４０４  ＯＫボタン
１５０１  印刷設定入力画面
１５０２  コンテンツＩＤ
１５０３  用紙サイズ入力ラジオボタン
１５０４  両面モード入力ラジオボタン
１５０５  カラーモード入力ラジオボタン
１５０６  レイアウト入力ラジオボタン
１５０７  部数入力ボックス
１５０８  必要料金／ポイント
１５０９  現金で支払ＯＫボタン
１５１０  ポイントで支払ＯＫボタン
１５１１  キャンセルボタン
１６０１  印刷完了画面
１６０２  ＯＫボタン
【図１】
2007011943.tif 000003
【図２】
2007011943.tif 000004
【図３】
2007011943.tif 000005
【図４】
2007011943.tif 000006
【図５】
2007011943.tif 000007
【図６】
2007011943.tif 000008
【図７】
2007011943.tif 000009
【図８】
2007011943.tif 000010
【図９】
2007011943.tif 000011
【図１０】
2007011943.tif 000012
【図１１】
2007011943.tif 000013
【図１２】
2007011943.tif 000014
【図１３】
2007011943.tif 000015
【図１４】
2007011943.tif 000016
【図１５】
2007011943.tif 000017
【図１６】
2007011943.tif 000018